(57)【要約】【課題】顧客の好み画像を簡単にプリントすることができるプリント方法及びシステムを提供する。【解決手段】顧客のプリント履歴を顧客ごとに個別に管理する。顧客からプリント注文を受けた画像の中にリプリントの画像がある場合は、その画像に対して以前に行った画質補正と同じ画質補正が施されるように、プリント履歴に基づいて画質補正の項目と補正量を設定する。これにより、面倒な画質補正の設定が不要になり、前回と同じ画質の画像を簡単に得ることができる。【選択図】      図２１
2006107291.tif 000002
【特許請求の範囲】
【請求項１】
顧客からプリント注文を受けた画像に顧客から指示された項目の画質補正を施してプリントするプリント方法において、
顧客のプリント履歴を顧客ごとに個別に管理し、
顧客からプリント注文を受けた画像の中から再プリントの注文を受けた画像を再プリント対象画像として前記プリント履歴に基づいて検出し、
前記再プリント対象画像に対して以前に行った画質補正と同じ画質補正が施されるように、前記プリント履歴に基づいて画質補正の項目と補正量を設定することを特徴とするプリント方法。
【請求項２】
新規にプリント注文を受けた画像に対して、
プリント注文した顧客が、過去に行った画質補正の項目の中で最も使用頻度の高い画質補正の項目を最頻度画質補正項目として前記プリント履歴から検出し、
検出した前記最頻度画質補正項目の画質補正を必要とする画像を補正対象画像として新規にプリント注文を受けた画像の中から前記プリント履歴に基づいて抽出し、
抽出した前記補正対象画像の中から最も画質補正を必要とする画像を最補正対象画像として前記プリント履歴に基づいて抽出し、
抽出した前記最補正対象画像に対して補正量を段階的に変化させて前記最頻度画質補正項目の画質補正を施し、複数のサンプル画像を生成し、
生成した複数のサンプル画像の中から１つを選択し、
選択したサンプル画像に施されている画質補正と同じ画質補正が施されるように、前記補正対象画像に施す画質補正の項目と補正量を設定することを特徴とする請求項１に記載のプリント方法。
【請求項３】
顧客からプリント注文を受けた画像に顧客から指示された項目の画質補正を施してプリントするプリント方法において、
顧客のプリント履歴を顧客ごとに個別に管理し、
プリント注文した顧客が、過去に行った画質補正の項目の中で最も使用頻度の高い画質補正の項目を最頻度画質補正項目として前記プリント履歴から検出し、
検出した前記最頻度画質補正項目の画質補正を必要とする画像を補正対象画像として新規にプリント注文を受けた画像の中から前記プリント履歴に基づいて抽出し、
抽出した前記補正対象画像の中から最も画質補正を必要とする画像を最補正対象画像として前記プリント履歴に基づいて抽出し、
抽出した前記最補正対象画像に対して補正量を段階的に変化させて前記最頻度画質補正項目の画質補正を施し、複数のサンプル画像を生成し、
生成した複数のサンプル画像の中から１つを選択し、
選択したサンプル画像に施されている画質補正と同じ画質補正が施されるように、前記補正対象画像に施す画質補正の項目と補正量を設定することを特徴とする請求項１に記載のプリント方法。
【請求項４】
前記補正対象画像の抽出は、前記最頻度画質補正項目の画質補正を施している画像の規定の撮影条件と同じ撮影条件を有する画像を新規にプリント注文を受けた画像の中から検出して行うことを特徴とする請求項２又は３に記載のプリント方法。
【請求項５】
前記最補正対象画像の抽出は、前記最頻度画質補正項目の画質補正を施している画像の規定の撮影条件と最も一致する撮影条件を有する画像を前記補正対象画像の中から検出して行うことを特徴とする請求項２、３又は４に記載のプリント方法。
【請求項６】
プリント予定の画像を顧客から受け付けて表示手段に表示し、該表示手段に表示された画像を選択してプリント注文する場合において、
顧客から受け付けたプリント予定の画像の中からＲＡＷ画像を検出し、
ＲＡＷ画像については、現像処理し、ＲＡＷ画像であることを識別する記号を付して表示手段に表示することを特徴とする請求項１、２、３、４又は５に記載のプリント方法。
【請求項７】
顧客からプリント注文を受けた画像が、ＲＡＷ画像の場合、現像処理を施した後、プリントすることを特徴とする請求項６に記載のプリント方法。
【請求項８】
プリント受付端末からプリント注文を受けた画像に顧客から指示された項目の画質補正を施してプリンタでプリントするプリントシステムにおいて、
顧客のプリント履歴を顧客ごとに個別に管理する管理手段と、
顧客からプリント注文を受けた画像の中から再プリントの注文を受けた画像を再プリント対象画像として前記プリント履歴に基づいて検出する再プリント対象画像検出手段と、
前記再プリント対象画像検出手段で検出された前記再プリント対象画像に対して以前に行った画質補正と同じ画質補正が施されるように、前記プリント履歴に基づいて画質補正の項目と補正量を設定する画質補正設定手段と、
を備えたことを特徴とするプリントシステム。
【請求項９】
プリント注文した顧客が、過去に行った画質補正の項目の中で最も使用頻度の高い画質補正の項目を最頻度画質補正項目として前記プリント履歴から検出する最頻度画質補正項目検出手段と、
前記最頻度画質補正項目検出手段で検出した前記最頻度画質補正項目の画質補正を必要とする画像を補正対象画像として新規にプリント注文を受けた画像の中から前記プリント履歴に基づいて抽出する補正対象抽出手段と、
前記補正対象抽出手段で抽出した前記補正対象画像の中から最も画質補正を必要とする画像を最補正対象画像として前記プリント履歴に基づいて抽出する最補正対象画像抽出手段と、
前記最補正対象画像抽出手段で抽出した前記最補正対象画像に対して補正量を段階的に変化させて前記最頻度画質補正項目の画質補正を施し、複数のサンプル画像を生成するサンプル画像生成手段と、
前記サンプル画像生成手段で生成した複数のサンプル画像を表示手段に表示する表示制御手段と、
前記表示手段に表示されたサンプル画像の１つを選択する選択手段と、
を備え、前記画質補正設定手段は、前記選択手段で選択されたサンプル画像に施されている画質補正と同じ画質補正が施されるように、前記補正対象画像に施す画質補正の項目と補正量を設定することを特徴とする請求項８に記載のプリントシステム。
【請求項１０】
プリント受付端末からプリント注文を受けた画像に顧客から指示された項目の画質補正を施してプリンタでプリントするプリントシステムにおいて、
顧客のプリント履歴を顧客ごとに個別に管理する管理手段と、
プリント注文した顧客が、過去に行った画質補正の項目の中で最も使用頻度の高い画質補正の項目を最頻度画質補正項目として前記プリント履歴から検出する最頻度画質補正項目検出手段と、
前記最頻度画質補正項目検出手段で検出した前記最頻度画質補正項目の画質補正を必要とする画像を補正対象画像として新規にプリント注文を受けた画像の中から前記プリント履歴に基づいて抽出する補正対象抽出手段と、
前記補正対象抽出手段で抽出した前記補正対象画像の中から最も画質補正を必要とする画像を最補正対象画像として前記プリント履歴に基づいて抽出する最補正対象画像抽出手段と、
前記最補正対象画像抽出手段で抽出した前記最補正対象画像に対して補正量を段階的に変化させて前記最頻度画質補正項目の画質補正を施し、複数のサンプル画像を生成するサンプル画像生成手段と、
前記サンプル画像生成手段で生成した複数のサンプル画像を表示手段に表示する表示制御手段と、
前記表示手段に表示されたサンプル画像の１つを選択する選択手段と、
前記選択手段で選択されたサンプル画像に施されている画質補正と同じ画質補正が施されるように、前記補正対象画像に施す画質補正の項目と補正量を設定する画質補正設定手段と、
を備えたことを特徴とするプリントシステム。
【請求項１１】
前記補正対象画像抽出手段は、前記最頻度画質補正項目の画質補正を施している画像の規定の撮影条件と同じ撮影条件を有する画像を新規にプリント注文を受けた画像の中から検出して前記補正対象画像を抽出することを特徴とする請求項９又は１０に記載のプリントシステム。
【請求項１２】
前記最補正対象画像抽出手段は、前記最頻度画質補正項目の画質補正を施している画像の規定の撮影条件と最も一致する撮影条件を有する画像を前記補正対象画像の中から検出して前記最補正対象画像を抽出することを特徴とする請求項９、１０又は１１に記載のプリントシステム。
【請求項１３】
プリント予定の画像を顧客から受け付けて表示手段に表示し、該表示手段に表示された画像を選択してプリント注文する場合において、
顧客から受け付けたプリント予定の画像の中からＲＡＷ画像を検出するＲＡＷ画像検出手段と、
ＲＡＷ画像を現像する現像手段と、
を有し、前記ＲＡＷ画像検出手段で検出したＲＡＷ画像については、前記現像手段で現像処理し、ＲＡＷ画像であることを識別する記号を付して表示手段に表示することを特徴とする請求項８、９、１０、１１又は１２に記載のプリントシステム。
【請求項１４】
顧客からプリント注文を受けた画像が、ＲＡＷ画像の場合、前記現像手段で現像処理を施した後、プリントすることを特徴とする請求項１３に記載のプリントシステム。
【請求項１５】
個々のプリント受付端末を管理サーバと通信可能に接続し、該管理サーバに前記管理手段を設け、該管理サーバで前記プリント履歴を一元管理することを特徴とする請求項８、９、１０、１１、１２、１３又は１４に記載のプリントシステム。
【発明の詳細な説明】
【技術分野】
【０００１】
本発明はプリント方法及びシステムに係り、特に画像に画質補正を施してプリントするプリント方法及びシステムに関する。
【背景技術】
【０００２】
一般にデジタルカメラでは、撮影した画像をカメラ本体から着脱自在に設けられたメモリカードに記録する。したがって、撮影した画像をプリントする場合は、デジタルカメラからメモリカードを取り出し、取り出したメモリカードを写真店に持ち込んでプリント注文するのが一般的である。この際、デジタルカメラにＤＰＯＦ(Digital Print Order Format)の機能が備えられている場合には、カメラ側で必要な画像だけをプリントするように設定することができるが、ＤＰＯＦ機能を利用したプリント注文は設定に手間がかかり、また、操作が判りにくいという欠点があった。
【０００３】
そこで、写真店などの店頭にプリント受付端末を設置し、そのプリント受付端末を利用して顧客が必要な画像を必要な枚数だけ注文できるシステムが提供されている（たとえば、特許文献１）。このシステムでは、プリント受付端末に設置されたカードスロットにメモリカードを差し込むと、そのメモリカードに記録されている画像がモニタに一覧表示され、そのモニタの表示を見ながら、顧客がプリントを必要とする画像を選択して、必要な枚数だけプリントの注文できるようにされている。
【０００４】
また、このようなプリントシステムでは、画質補正の機能を備えたものもあり、顧客が必要に応じて画像に画質補正を施してプリント注文できるものも存在する。しかし、画質補正は、初心者には難しく、設定が難しいという問題がある。そこで、特許文献２では、画像の撮影情報を使用することにより、最適な画質補正の条件を求めることが提案されている。
【特許文献１】特開２００２−１２３５９３号公報
【特許文献１】特開平１０−１９１２４６号公報
【発明の開示】
【発明が解決しようとする課題】
【０００５】
しかしながら、特許文献２の方法では、顧客の好みを反映することができないという欠点がある。
【０００６】
本発明は、このような事情に鑑みてなされたもので、顧客の好み画像を簡単にプリントすることができるプリント方法及びシステムを提供することを目的とする。
【課題を解決するための手段】
【０００７】
請求項１に係る発明は、前記目的を達成するために、顧客からプリント注文を受けた画像に顧客から指示された項目の画質補正を施してプリントするプリント方法において、顧客のプリント履歴を顧客ごとに個別に管理し、顧客からプリント注文を受けた画像の中から再プリントの注文を受けた画像を再プリント対象画像として前記プリント履歴に基づいて検出し、前記再プリント対象画像に対して以前に行った画質補正と同じ画質補正が施されるように、前記プリント履歴に基づいて画質補正の項目と補正量を設定することを特徴とするプリント方法を提供する。
【０００８】
本発明によれば、顧客のプリント履歴を顧客ごとに個別に管理する。顧客からプリント注文を受けた画像の中に再プリントの画像がある場合は、その画像に対して以前に行った画質補正と同じ画質補正が施されるように、プリント履歴に基づいて画質補正の項目と補正量を設定する。これにより、面倒な画質補正の設定が不要になり、前回と同じ画質の画像を簡単に得ることができる。
【０００９】
また、請求項２に係る発明は、前記目的を達成するために、新規にプリント注文を受けた画像に対して、プリント注文した顧客が、過去に行った画質補正の項目の中で最も使用頻度の高い画質補正の項目を最頻度画質補正項目として前記プリント履歴から検出し、検出した前記最頻度画質補正項目の画質補正を必要とする画像を補正対象画像として新規にプリント注文を受けた画像の中から前記プリント履歴に基づいて抽出し、抽出した前記補正対象画像の中から最も画質補正を必要とする画像を最補正対象画像として前記プリント履歴に基づいて抽出し、抽出した前記最補正対象画像に対して補正量を段階的に変化させて前記最頻度画質補正項目の画質補正を施し、複数のサンプル画像を生成し、生成した複数のサンプル画像の中から１つを選択し、選択したサンプル画像に施されている画質補正と同じ画質補正が施されるように、前記補正対象画像に施す画質補正の項目と補正量を設定することを特徴とする請求項１に記載のプリント方法を提供する。
【００１０】
本発明によれば、顧客のプリント履歴に基づいて、新規にプリント注文を受けた画像に対して顧客の好みに合わせた画質補正を自動設定することができる。すなわち、まず、顧客が過去に行った画質補正の項目の中で最も使用頻度の高い画質補正の項目を最頻度画質補正項目としてプリント履歴から検出する。検出した最頻度画質補正項目の画質補正を必要とする画像を補正対象画像として新規にプリント注文を受けた画像の中からプリント履歴に基づいて抽出する。抽出した補正対象画像の中から最も画質補正を必要とする画像を最補正対象画像としてプリント履歴に基づいて抽出する。抽出した最補正対象画像に対して補正量を段階的に変化させて最頻度画質補正項目の画質補正を施し、複数のサンプル画像を生成する。生成した複数のサンプル画像の中から１つを選択し、選択したサンプル画像に施されている画質補正と同じ画質補正が施されるように、補正対象画像に施す画質補正の項目と補正量を設定する。これにより、新規に注文を受けた画像に対して顧客の好みの画質補正を自動設定することができる。
【００１１】
また、請求項３に係る発明は、前記目的を達成するために、顧客からプリント注文を受けた画像に顧客から指示された項目の画質補正を施してプリントするプリント方法において、顧客のプリント履歴を顧客ごとに個別に管理し、プリント注文した顧客が、過去に行った画質補正の項目の中で最も使用頻度の高い画質補正の項目を最頻度画質補正項目として前記プリント履歴から検出し、検出した前記最頻度画質補正項目の画質補正を必要とする画像を補正対象画像として新規にプリント注文を受けた画像の中から前記プリント履歴に基づいて抽出し、抽出した前記補正対象画像の中から最も画質補正を必要とする画像を最補正対象画像として前記プリント履歴に基づいて抽出し、抽出した前記最補正対象画像に対して補正量を段階的に変化させて前記最頻度画質補正項目の画質補正を施し、複数のサンプル画像を生成し、生成した複数のサンプル画像の中から１つを選択し、選択したサンプル画像に施されている画質補正と同じ画質補正が施されるように、前記補正対象画像に施す画質補正の項目と補正量を設定することを特徴とする請求項１に記載のプリント方法を提供する。
【００１２】
本発明によれば、顧客のプリント履歴に基づいて、新規にプリント注文を受けた画像に対して顧客の好みに合わせた画質補正を自動設定することができる。すなわち、顧客のプリント履歴を顧客ごとに個別に管理し、顧客が過去に行った画質補正の項目の中で最も使用頻度の高い画質補正の項目を最頻度画質補正項目としてプリント履歴から検出する。検出した最頻度画質補正項目の画質補正を必要とする画像を補正対象画像として新規にプリント注文を受けた画像の中からプリント履歴に基づいて抽出する。抽出した補正対象画像の中から最も画質補正を必要とする画像を最補正対象画像としてプリント履歴に基づいて抽出する。抽出した最補正対象画像に対して補正量を段階的に変化させて最頻度画質補正項目の画質補正を施し、複数のサンプル画像を生成する。生成した複数のサンプル画像の中から１つを選択し、選択したサンプル画像に施されている画質補正と同じ画質補正が施されるように、補正対象画像に施す画質補正の項目と補正量を設定する。これにより、新規に注文を受けた画像に対して顧客の好みの画質補正を自動設定することができる。
【００１３】
また、請求項４に係る発明は、前記目的を達成するために、前記補正対象画像の抽出は、前記最頻度画質補正項目の画質補正を施している画像の規定の撮影条件と同じ撮影条件を有する画像を新規にプリント注文を受けた画像の中から検出して行うことを特徴とする請求項２又は３に記載のプリント方法を提供する。
【００１４】
本発明によれば、補正対象画像の抽出は、最頻度画質補正項目の画質補正を施している画像の規定の撮影条件と同じ撮影条件を有する画像を新規にプリント注文を受けた画像の中から検出して行う。すなわち、撮影条件がほぼ同じ画像は同じ画質補正が施されると推測し、最頻度画質補正項目の画質補正を施している画像の規定の撮影条件と同じ撮影条件を有する画像を補正対象画像として抽出する。
【００１５】
また、請求項５に係る発明は、前記目的を達成するために、前記最補正対象画像の抽出は、前記最頻度画質補正項目の画質補正を施している画像の規定の撮影条件と最も一致する撮影条件を有する画像を前記補正対象画像の中から検出して行うことを特徴とする請求項２、３又は４に記載のプリント方法を提供する。
【００１６】
本発明によれば、最補正対象画像の抽出は、最頻度画質補正項目の画質補正を施している画像の規定の撮影条件と最も一致する撮影条件を有する画像を補正対象画像の中から検出して行う。すなわち、最頻度画質補正項目の画質補正を施している画像の規定の撮影条件と最も共通する撮影条件を有する画像が、最も補正が必要な画像と推測し、補正対象画像の中から検出する。
【００１７】
また、請求項６に係る発明は、前記目的を達成するために、プリント予定の画像を顧客から受け付けて表示手段に表示し、該表示手段に表示された画像を選択してプリント注文する場合において、顧客から受け付けたプリント予定の画像の中からＲＡＷ画像を検出し、ＲＡＷ画像については、現像処理し、ＲＡＷ画像であることを識別する記号を付して表示手段に表示することを特徴とする請求項１、２、３、４又は５に記載のプリント方法を提供する。
【００１８】
本発明によれば、表示手段に表示された画像を選択してプリント注文する場合において、顧客から受け付けたプリント予定の画像の中にＲＡＷ画像が含まれている場合、現像処理したものを表示手段に表示し、かつ、その画像がＲＡＷ画像であることを識別する記号を付して表示手段に表示する。これにより、プリント予定の画像がＲＡＷ画像か否かを一目で把握することができる。
【００１９】
また、請求項７に係る発明は、前記目的を達成するために、顧客からプリント注文を受けた画像が、ＲＡＷ画像の場合、現像処理を施した後、プリントすることを特徴とする請求項６に記載のプリント方法を提供する。
【００２０】
本発明によれば、プリント予定の画像にＲＡＷ画像が含まれている場合、現像処理してプリントすることができる。これにより、ＲＡＷ画像についてもプリントすることができるようになる。
【００２１】
また、請求項８に係る発明は、前記目的を達成するために、プリント受付端末からプリント注文を受けた画像に顧客から指示された項目の画質補正を施してプリンタでプリントするプリントシステムにおいて、顧客のプリント履歴を顧客ごとに個別に管理する管理手段と、顧客からプリント注文を受けた画像の中から再プリントの注文を受けた画像を再プリント対象画像として前記プリント履歴に基づいて検出する再プリント対象画像検出手段と、前記再プリント対象画像検出手段で検出された前記再プリント対象画像に対して以前に行った画質補正と同じ画質補正が施されるように、前記プリント履歴に基づいて画質補正の項目と補正量を設定する画質補正設定手段と、を備えたことを特徴とするプリントシステムを提供する。
【００２２】
本発明によれば、顧客のプリント履歴を顧客ごとに個別に管理する。顧客からプリント注文を受けた画像の中に再プリントの画像がある場合は、その画像に対して以前に行った画質補正と同じ画質補正が施されるように、プリント履歴に基づいて画質補正の項目と補正量を設定する。これにより、面倒な画質補正の設定が不要になり、前回と同じ画質の画像を簡単に得ることができる。
【００２３】
また、請求項９に係る発明は、前記目的を達成するために、プリント注文した顧客が、過去に行った画質補正の項目の中で最も使用頻度の高い画質補正の項目を最頻度画質補正項目として前記プリント履歴から検出する最頻度画質補正項目検出手段と、前記最頻度画質補正項目検出手段で検出した前記最頻度画質補正項目の画質補正を必要とする画像を補正対象画像として新規にプリント注文を受けた画像の中から前記プリント履歴に基づいて抽出する補正対象抽出手段と、前記補正対象抽出手段で抽出した前記補正対象画像の中から最も画質補正を必要とする画像を最補正対象画像として前記プリント履歴に基づいて抽出する最補正対象画像抽出手段と、前記最補正対象画像抽出手段で抽出した前記最補正対象画像に対して補正量を段階的に変化させて前記最頻度画質補正項目の画質補正を施し、複数のサンプル画像を生成するサンプル画像生成手段と、前記サンプル画像生成手段で生成した複数のサンプル画像を表示手段に表示する表示制御手段と、前記表示手段に表示されたサンプル画像の１つを選択する選択手段と、を備え、前記画質補正設定手段は、前記選択手段で選択されたサンプル画像に施されている画質補正と同じ画質補正が施されるように、前記補正対象画像に施す画質補正の項目と補正量を設定することを特徴とする請求項８に記載のプリントシステムを提供する。
【００２４】
本発明によれば、顧客のプリント履歴に基づいて、新規にプリント注文を受けた画像に対して顧客の好みに合わせた画質補正を自動設定することができる。すなわち、まず、顧客が過去に行った画質補正の項目の中で最も使用頻度の高い画質補正の項目を最頻度画質補正項目としてプリント履歴から検出する。検出した最頻度画質補正項目の画質補正を必要とする画像を補正対象画像として新規にプリント注文を受けた画像の中からプリント履歴に基づいて抽出する。抽出した補正対象画像の中から最も画質補正を必要とする画像を最補正対象画像としてプリント履歴に基づいて抽出する。抽出した最補正対象画像に対して補正量を段階的に変化させて最頻度画質補正項目の画質補正を施し、複数のサンプル画像を生成する。生成した複数のサンプル画像の中から１つを選択し、選択したサンプル画像に施されている画質補正と同じ画質補正が施されるように、補正対象画像に施す画質補正の項目と補正量を設定する。これにより、新規に注文を受けた画像に対して顧客の好みの画質補正を自動設定することができる。
【００２５】
また、請求項１０に係る発明は、前記目的を達成するために、プリント受付端末からプリント注文を受けた画像に顧客から指示された項目の画質補正を施してプリンタでプリントするプリントシステムにおいて、顧客のプリント履歴を顧客ごとに個別に管理する管理手段と、プリント注文した顧客が、過去に行った画質補正の項目の中で最も使用頻度の高い画質補正の項目を最頻度画質補正項目として前記プリント履歴から検出する最頻度画質補正項目検出手段と、前記最頻度画質補正項目検出手段で検出した前記最頻度画質補正項目の画質補正を必要とする画像を補正対象画像として新規にプリント注文を受けた画像の中から前記プリント履歴に基づいて抽出する補正対象抽出手段と、前記補正対象抽出手段で抽出した前記補正対象画像の中から最も画質補正を必要とする画像を最補正対象画像として前記プリント履歴に基づいて抽出する最補正対象画像抽出手段と、前記最補正対象画像抽出手段で抽出した前記最補正対象画像に対して補正量を段階的に変化させて前記最頻度画質補正項目の画質補正を施し、複数のサンプル画像を生成するサンプル画像生成手段と、前記サンプル画像生成手段で生成した複数のサンプル画像を表示手段に表示する表示制御手段と、前記表示手段に表示されたサンプル画像の１つを選択する選択手段と、前記選択手段で選択されたサンプル画像に施されている画質補正と同じ画質補正が施されるように、前記補正対象画像に施す画質補正の項目と補正量を設定する画質補正設定手段と、を備えたことを特徴とするプリントシステムを提供する。
【００２６】
本発明によれば、顧客のプリント履歴に基づいて、新規にプリント注文を受けた画像に対して顧客の好みに合わせた画質補正を自動設定することができる。すなわち、顧客のプリント履歴を顧客ごとに個別に管理し、顧客が過去に行った画質補正の項目の中で最も使用頻度の高い画質補正の項目を最頻度画質補正項目としてプリント履歴から検出する。検出した最頻度画質補正項目の画質補正を必要とする画像を補正対象画像として新規にプリント注文を受けた画像の中からプリント履歴に基づいて抽出する。抽出した補正対象画像の中から最も画質補正を必要とする画像を最補正対象画像としてプリント履歴に基づいて抽出する。抽出した最補正対象画像に対して補正量を段階的に変化させて最頻度画質補正項目の画質補正を施し、複数のサンプル画像を生成する。生成した複数のサンプル画像の中から１つを選択し、選択したサンプル画像に施されている画質補正と同じ画質補正が施されるように、補正対象画像に施す画質補正の項目と補正量を設定する。これにより、新規に注文を受けた画像に対して顧客の好みの画質補正を自動設定することができる。
【００２７】
また、請求項１１に係る発明は、前記目的を達成するために、前記補正対象画像抽出手段は、前記最頻度画質補正項目の画質補正を施している画像の規定の撮影条件と同じ撮影条件を有する画像を新規にプリント注文を受けた画像の中から検出して前記補正対象画像を抽出することを特徴とする請求項９又は１０に記載のプリントシステムを提供する。
【００２８】
本発明によれば、補正対象画像の抽出は、最頻度画質補正項目の画質補正を施している画像の規定の撮影条件と同じ撮影条件を有する画像を新規にプリント注文を受けた画像の中から検出して行う。すなわち、撮影条件がほぼ同じ画像は同じ画質補正が施されると推測し、最頻度画質補正項目の画質補正を施している画像の規定の撮影条件と同じ撮影条件を有する画像を補正対象画像として抽出する。
【００２９】
また、請求項１２に係る発明は、前記目的を達成するために、前記最補正対象画像抽出手段は、前記最頻度画質補正項目の画質補正を施している画像の規定の撮影条件と最も一致する撮影条件を有する画像を前記補正対象画像の中から検出して前記最補正対象画像を抽出することを特徴とする請求項９、１０又は１１に記載のプリントシステムを提供する。
【００３０】
本発明によれば、最補正対象画像の抽出は、最頻度画質補正項目の画質補正を施している画像の規定の撮影条件と最も一致する撮影条件を有する画像を補正対象画像の中から検出して行う。すなわち、最頻度画質補正項目の画質補正を施している画像の規定の撮影条件と最も共通する撮影条件を有する画像が、最も補正が必要な画像と推測し、補正対象画像の中から検出する。
【００３１】
また、請求項１３に係る発明は、前記目的を達成するために、プリント予定の画像を顧客から受け付けて表示手段に表示し、該表示手段に表示された画像を選択してプリント注文する場合において、顧客から受け付けたプリント予定の画像の中からＲＡＷ画像を検出するＲＡＷ画像検出手段と、ＲＡＷ画像を現像する現像手段と、を有し、前記ＲＡＷ画像検出手段で検出したＲＡＷ画像については、前記現像手段で現像処理し、ＲＡＷ画像であることを識別する記号を付して表示手段に表示することを特徴とする請求項８、９、１０、１１又は１２に記載のプリントシステムを提供する。
【００３２】
本発明によれば、表示手段に表示された画像を選択してプリント注文する場合において、顧客から受け付けたプリント予定の画像の中にＲＡＷ画像が含まれている場合、現像処理したものを表示手段に表示し、かつ、その画像がＲＡＷ画像であることを識別する記号を付して表示手段に表示する。これにより、プリント予定の画像がＲＡＷ画像か否かを一目で把握することができる。
【００３３】
また、請求項１４に係る発明は、前記目的を達成するために、顧客からプリント注文を受けた画像が、ＲＡＷ画像の場合、前記現像手段で現像処理を施した後、プリントすることを特徴とする請求項１３に記載のプリントシステムを提供する。
【００３４】
本発明によれば、プリント予定の画像にＲＡＷ画像が含まれている場合、現像処理してプリントすることができる。これにより、ＲＡＷ画像についてもプリントすることができるようになる。
【００３５】
また、請求項１５に係る発明は、前記目的を達成するために、個々のプリント受付端末を管理サーバと通信可能に接続し、該管理サーバに前記管理手段を設け、該管理サーバで前記プリント履歴を一元管理することを特徴とする請求項８、９、１０、１１、１２、１３又は１４に記載のプリントシステムを提供する。
【００３６】
本発明によれば、プリント受付端末が複数存在する場合に個々のプリント受付端末が管理サーバと通信可能に接続され、その管理サーバでプリント履歴が一元管理される。
【発明の効果】
【００３７】
本発明に係るプリント方法及びシステムによれば、顧客の好みを反映した画質補正を施してプリントすることができる。
【発明を実施するための最良の形態】
【００３８】
以下、添付図面に従って本発明に係るプリント方法及びプリントシステムを実施するための最良の形態について説明する。
【００３９】
図１は、本発明に係るプリントシステムの一実施形態を示すシステム構成図である。同図に示すように、本実施の形態のプリントシステム１は、複数のプリント受付端末１０と管理サーバ１００とで構成され、複数のプリント受付端末１０と管理サーバ１００とは、ネットワークを通じて通信可能に接続されている。
【００４０】
図２は、プリント受付端末１０の構成を示す正面図である。同図に示すように、プリント受付端末１０は、箱状に形成された装置本体１２を有しており、その正面にはタッチパネルを備えたディスプレイ１４と、メモリカード等の各種記憶メディアを装填するためのメディア挿入口１６と、利用料金を投入するためのコイン投入口１８と、投入した利用料金を戻すための返金レバー２０と、返金するコインを取り出すためのコイン返金口２２、生成したプリントを取り出すためのプリント取出口２４等が設けられている。
【００４１】
図３は、プリント受付端末１０の電気的構成を示すブロック図である。同図に示すように、プリント受付端末１０は、ＣＰＵ３０、ＲＯＭ３２、ＲＡＭ３４、画像処理部３６、現像処理部３８、プリントデータ生成部４０、カラーマネージメント用データベース４２、メモリカードリーダ／ライタ４４、ディスプレイドライバ４６、ディスプレイ１４、タッチパネル４８、通信部５０、プリント部５２、課金装置５４等で構成されている。
【００４２】
ＣＰＵ３０は、プリント受付端末１０の全体の動作を統括制御する制御部として機能し、ＲＯＭ３２に格納された制御プログラムに基づきＲＡＭ３４を作業領域として使用しながら、プリント受付端末１０の各部を制御する。なお、ＲＯＭ３２は、制御プログラムのほか、制御に必要なデータが格納されているものとする。
【００４３】
画像処理部３６は、ＣＰＵ３０の制御の下、プリント対象となる画像の画質補正等の処理を行う。
【００４４】
現像処理部３８は、ＣＰＵ３０の制御の下、プリント対象となるＲＡＷ画像データ（電子カメラの撮像素子から出力される映像信号に少なくともＡ／Ｄ変換を施した生のデジタル画像データ）の現像処理を行う。
【００４５】
プリントデータ生成部４０は、ＣＰＵ３０の制御の下、プリントする画像のプリントデータを生成する。
【００４６】
カラーマネージメント用データベース４２には、ディスプレイ１４に表示される画像とプリント部５２でプリントされる画像との色の差を補正し、同じ色に再現するためのデータが格納される。
【００４７】
メモリカードリーダ／ライタ４４は、ＣＰＵ３０の制御の下、メディア挿入口１６に挿入されたメモリカードから画像データの読み出し及び書き込み処理を行う。
【００４８】
ディスプレイドライバ４６は、ＣＰＵ３０の制御の下、ディスプレイ１４の表示を制御する。
【００４９】
タッチパネル４８は、ディスプレイ１４の表示画面上に設けられており、ユーザ（顧客）が押圧した位置の座標データを検出し、ＣＰＵ３０に出力する。
【００５０】
通信部５０は、ＣＰＵ３０の制御の下、ネットワークを通じて接続された管理サーバ１００との間でデータの送受信を行う。
【００５１】
プリント部５２は、ＣＰＵ３０の制御の下、プリントデータ生成部４０で生成された画像のプリントデータを印画紙にプリントする。
【００５２】
課金装置５４は、コイン投入口１８から投入されるコインを検出し、入金情報をＣＰＵ３０に出力する。
【００５３】
管理サーバ１００は、ネットワークＯＳ、その他サーバアプリケーションソフトがインストールされたコンピュータで構成され、各プリント受付端末１０とデータの送受信を行って顧客のプリント履歴を管理する。顧客のプリント履歴は、顧客ごとに管理ファイルを生成して管理され、管理ファイルは、顧客ごとにＩＤとパスワードが設定されて所定の記憶領域（たとえば、ＨＤＤ）に格納される。
【００５４】
図４は、管理ファイルの一例を示す図である。同図に示すように、管理ファイルは、顧客がプリントした画像ごとにファイル情報とＥｘｉｆ情報とプリント情報とを記録して生成される。
【００５５】
ファイル情報は、顧客がプリントした個々の画像を識別するための情報であり、ファイル名と更新日時（画像を生成した日時（顧客が撮影後に画質補正している場合はその日時、していない場合は撮影日時が更新日時となる））とが記録される。
【００５６】
Ｅｘｉｆ情報は、顧客がプリントした画像の撮影情報であり、画像ファイルに付されているＥｘｉｆのタグ情報が、そのまま記録される。
【００５７】
プリント情報は、プリント時の設定情報であり、プリント日時の他、画像に対して行った画質補正の項目と、その補正方向とが記録される。
【００５８】
本実施の形態のプリントシステム１では、このプリント履歴の管理ファイルを参照してプリントする画像の画質補正を行い、プリント処理を行う。
【００５９】
以下、本実施の形態のプリントシステム１におけるプリントの注文からプリント出力までの一連の処理の流れについて説明する。
【００６０】
図５は、プリント注文時におけるプリント受付端末１０の処理動作の手順を示すフローチャートである。
【００６１】
まず、ユーザは、画像データが記録されたメモリカード等の記憶メディアをメディア挿入口１６に挿入し（ステップＳ１０）、プリント受付端末１０にプリントの注文処理を開始させる。
【００６２】
注文処理が開始されると、ディスプレイ１４にＩＤとパスワードの入力画面が表示される。図６は、ＩＤとパスワードの入力画面の一例であり、顧客は、このディスプレイ１４の表示に従ってＩＤとパスワードを入力する（ステップＳ１１）。ＩＤとパスワードは、たとえば、数字又はアルファベット又はその組み合わせからなるものとし、ディスプレイ１４に表示されている数字又はアルファベットをタッチして入力する。
【００６３】
ＩＤとパスワードが入力されると、プリント受付端末１０は、管理サーバ１００にアクセスし、入力されたＩＤに対応する管理ファイルが存在するか否か管理サーバ１００に問い合わせる。
【００６４】
管理サーバ１００は、プリント受付端末１０から送信されたＩＤとパスワードの情報に基づき顧客が入力したＩＤに対応する管理ファイルを所定の記憶領域から検索し、管理ファイルの有無を判定する（ステップＳ１２）。
【００６５】
そして、管理ファイルなしと判定した場合は、図７に示すフローチャートのステップＳ２０の処理に移行する。
【００６６】
まず、プリント受付端末１０は、メディア挿入口１６に装填された記憶メディアから記憶メディアに記録されている画像ファイルの読み出しを行う（ステップＳ２０）。そして、その読み出した画像ファイルが示す画像のサムネイル画像をディスプレイ１４に一覧表示し（ステップＳ２１）、プリント注文の受け付けを行う（ステップＳ２２）。
【００６７】
図８は、プリント注文の受付画面の表示例を示している。同図に示すように、ディスプレイ１４の表示画面は、主としてサムネイル表示領域と、主操作領域と、副操作領域とからなる。サムネイル表示領域には、記憶メディアから読み出した画像ファイルの画像がサムネイル画像によって一覧表示される。なお、ここでは一度に９（３×３）枚の画像がファイル名順に表示されるものとし、それ以外の画像を表示させる場合は、上スクロールボタン又は下スクロールボタンをタッチして、スクロール表示させるものとする。また、各サムネイル画像は、それぞれ表示枠内に表示され、表示枠内には、そのサムネイル画像のファイル名（サムネイル画像の左上に表示）や、注文枚数（サムネイル画像の右下に表示）等が併せて表示される。また、主操作領域には、プリント枚数を入力するためのテンキーが表示され、副操作領域には、処理の確定を指示するボタン（ＯＫボタン）や、前の処理画面に戻ることを指示するボタン（戻るボタン）、終了を指示するボタン（終了ボタン）等が表示される。
【００６８】
ユーザは、ディスプレイ１４に表示されたプリント注文の受付画面の表示に従ってプリント注文の入力を行う。
【００６９】
まず、プリント注文する画像のサムネイル画像にタッチして、プリント注文する画像を選択する。サムネイル画像にタッチすると、そのタッチされたサムネイル画像の表示枠の色が変わり、選択した画像が他の画像と区別される。図８に示す例では、画面左上に位置する画像（ファイル名：ＤＳＣＦ０００１）が選択された状態が示されている。
【００７０】
このようにプリント注文する画像をタッチして選択したのち、テンキーにタッチして注文枚数を入力する。そして、プリント注文する全ての画像の枚数入力が完了した後、ユーザは副操作領域に表示されたＯＫボタンをタッチし、注文を確定する。
【００７１】
プリント注文の設定が完了すると、ディスプレイ１４の表示がプリント注文の画面から画質補正の基本画面に切り替わる。
【００７２】
図９は、画質補正の基本画面の表示例を示している。同図に示すように、画質補正の基本画面は、主としてサムネイル表示領域と、主操作領域と、副操作領域とからなる。主操作領域以外、プリント注文の受付画面と同じである。
【００７３】
主操作領域には、処理可能な画質補正の項目がボタン表示される。ここでは、処理可能な画質補正の項目として、手ぶれ補正を行う手ぶれ補正ボタンと、色調補正を行う色調補正ボタンと、明るさ・コントラス補正を行う明るさ・コントラスト補正実行ボタンとが表示されるものとする。
【００７４】
ユーザは、画質補正を行う場合、実行する画質補正の項目のボタンにタッチする。たとえば、手ぶれ補正する場合には、手ぶれ補正ボタンをタッチし、色調補正する場合は、色調補正ボタンをタッチする。
【００７５】
まず、手ぶれ補正をする場合について説明する。手ぶれ補正をする場合は、操作領域に表示された手ぶれ補正ボタンをタッチする。手ぶれ補正ボタンがタッチされると、プリント受付端末１０は手ぶれ補正モードとなり、補正対象の選択待ちの状態となる。ユーザは、この状態で手ぶれ補正する画像のサムネイル画像にタッチして、手ぶれ補正する画像を選択する。
【００７６】
補正対象の画像が選択されると、プリント受付端末１０は、選択された画像の手ぶれ補正のバリエーション画像を生成し、図１０に示すように、そのバリエーション画像をディスプレイ１４に表示する。
【００７７】
ここで、手ぶれ補正のバリエーション画像は、原画像に対して上方向に手ぶれ補正した画像と、右上方向に手ぶれ補正した画像と、右方向に手ぶれ補正した画像と、右下方向に手ぶれ補正した画像と、下方向に手ぶれ補正した画像と、左下方向に手ぶれ補正した画像と、左方向に手ぶれ補正した画像と、左上方向に手ぶれ補正した画像の計８画像を生成するものとし、原画像を中央にして、その周囲に各方向の補正画像を配置してサムネイル表示領域に表示するものとする。なお、手ぶれ補正の方法に関しては、公知の技術であるので、ここでは、その具体的な補正方法の説明は省略する。
【００７８】
ユーザは、このように表示されたバリエーション画像（原画像を含む）の中から最も好ましい画像のサムネイル画像をタッチして選択する。プリント受付端末１０は、選択されたサムネイル画像に施されている補正量で原画像に手ぶれ補正の処理を施し、当該画像に対する処理を終了する。引き続き手ぶれ補正の処理を実行する場合には、上記同様の手順で手ぶれ補正の指示を行う。
【００７９】
次に、色調補正をする場合について説明する。色調補正をする場合は、操作領域に表示された色調補正ボタンをタッチする。色調補正ボタンがタッチされると、プリント受付端末１０は色調補正モードとなり、補正対象の選択待ちの状態となる。ユーザは、この状態で色調補正する画像のサムネイル画像にタッチして、色調補正する画像を選択する。
【００８０】
補正対象の画像が選択されると、プリント受付端末１０は、選択された画像の色調補正のバリエーション画像を生成し、図１１に示すように、そのバリエーション画像をディスプレイ１４に表示する。
【００８１】
ここで、色調補正のバリエーション画像は、原画像をイエロー寄りに色調補正した画像と、レッド寄りに色調補正した画像と、マゼンタ寄りに色調補正した画像と、ブルー寄りに色調補正した画像と、シアン寄りに色調補正した画像と、グリーン寄りに色調補正した画像の計６画像を生成するものとし、原画像の両サイドに補正画像を縦列配置してサムネイル表示領域に表示するものとする。なお、色調補正の方法に関しても公知の技術であるので、ここでは、その具体的な補正方法の説明は省略する。
【００８２】
ユーザは、このように表示されたバリエーション画像（原画像を含む）の中から最も好ましい画像のサムネイル画像をタッチして選択する。プリント受付端末１０は、選択されたサムネイル画像に施されている補正量で原画像に色調補正の処理を施し、当該画像に対する処理を終了する。引き続き色調補正の処理を実行する場合には、上記同様の手順で色調補正の指示を行う。
【００８３】
次に、明るさ・コントラスト補正をする場合について説明する。明るさ・コントラスト補正をする場合は、操作領域に表示された明るさ・コントラスト補正ボタンをタッチする。明るさ・コントラスト補正ボタンがタッチされると、プリント受付端末１０は明るさ・コントラスト補正モードとなり、補正対象の選択待ちの状態となる。ユーザは、この状態で明るさ・コントラスト補正する画像のサムネイル画像にタッチして、明るさ・コントラスト補正する画像を選択する。
【００８４】
補正対象の画像が選択されると、プリント受付端末１０は、選択された画像の明るさ・コントラスト補正のバリエーション画像を生成し、図１２に示すように、そのバリエーション画像をディスプレイ１４に表示する。
【００８５】
ここで、明るさ・コントラスト補正のバリエーション画像は、原画像を単に明るく補正した画像と、明るくかつ高コントラストに補正した画像と、単に高コントラストに補正した画像と、暗くかつ高コントラストに補正した画像と、単に暗く補正した画像と、暗くかつ低コントラストに補正した画像と、単に低コントラストに補正した画像と、明るくかつ低コントラストに補正した画像の計８画像を生成するものとし、原画像を中心にその周囲に補正画像を配置してサムネイル表示領域に表示するものとする。なお、明るさ・コントラスト補正の方法に関しても公知の技術であるので、ここでは、その具体的な補正方法の説明は省略する。
【００８６】
ユーザは、このように表示されたバリエーション画像（原画像を含む）の中から最も好ましい画像のサムネイル画像をタッチして選択する。プリント受付端末１０は、選択されたサムネイル画像に施されている補正量で原画像に明るさ・コントラスト補正の処理を施し、当該画像に対する処理を終了する。引き続き明るさ・コントラスト補正の処理を実行する場合には、上記同様の手順で明るさ・コントラスト補正の指示を行う。
【００８７】
このように、ユーザは、画質補正を行う場合、実行する画質補正の項目を選択し、補正対象の画像を選択して、画質補正の処理を行う。そして、画質補正が必要な画像に対する画質補正が全て完了したところで、副操作領域に表示されたＯＫボタンをタッチし、補正処理を終了する。なお、画質補正の処理を行わない場合は、そのまま副操作領域に表示されたＯＫボタンをタッチし、補正処理を終了する。
【００８８】
プリント受付端末１０は、画質補正の指示の有無を判定し（ステップＳ２３）、指示された場合は、上記の手順にて画質補正を実施する（ステップＳ２４）。そして、画質補正の操作が完了すると、プリント受付端末１０は、プリント注文を受けた画像のプリントデータを生成し、プリント処理を実行する（ステップＳ２５）。すなわち、プリント注文を受けた画像の画像データ（画質補正された画像については、補正後の画像データ）を元にプリントデータ生成部４０でプリントデータを生成し、生成したプリントデータをプリント部５２に加えて印画紙にプリントさせる。
【００８９】
生成された写真プリントは、プリント取出口２４に排出され、ユーザは、このプリント取出口２４に排出された写真プリントを受け取る。
【００９０】
一方、プリント受付端末１０は、プリント処理終了後、ユーザの注文データ（プリント注文した画像のファイル名、Ｅｘｉｆ情報、画質補正の内容等のプリント履歴の管理ファイルの生成に必要なデータ）をネットワークを通じて管理サーバ１００に送信する。管理サーバ１００は、このプリント受付端末１０から送信された注文データを元にプリント履歴の管理ファイルを生成する（ステップＳ２６）。
【００９１】
なお、本例では、新規のユーザなので、この段階でＩＤ及びパスワードの設定が行われる。この際、ＩＤは、所定のルールに従って自動設定されるものとし、パスワードは、ユーザが設定するものとする。
【００９２】
以上説明したように、管理サーバ１００に管理ファイルのない新規ユーザの場合は、必要に応じてユーザがマニュアルで画質補正の設定を行い、プリントを行う。
【００９３】
次に、管理サーバ１００に管理ファイルが存在する場合、すなわち、図５に示すフローチャートのステップＳ１２において、管理ファイルありと判定された場合の処理について説明する。  
【００９４】
図５に示すフローチャートのステップＳ１２において、管理ファイルありと判定すると、入力されたパスワードに基づいて本人認証が行われる（ステップＳ１３）。すなわち、入力されたパスワードが対応する管理ファイルに設定されているパスワードと一致するか否か判定し、本人認証を行う。
【００９５】
ここで、パスワードが一致しない場合は、ステップＳ１１に戻り、再度ＩＤとパスワードの入力を行う。
【００９６】
一方、パスワードが一致し、本人と確認された場合、プリント受付端末１０は、管理サーバ１００から該当する管理ファイルを読み込む（ステップＳ１４）。また、メディア挿入口１６に装填された記憶メディアから記憶メディアに記録されている画像ファイルの読み出しを行う（ステップＳ１５）。そして、その読み出した画像ファイルが示す画像のサムネイル画像をディスプレイ１４に一覧表示し（ステップＳ１６）、プリント注文の受け付けを行う（ステップＳ１７）。
【００９７】
なお、ここでのディスプレイの表示は、上述した管理ファイルがない場合の表示と基本的に同じである。すなわち、図８に示すように、主としてサムネイル表示領域と、主操作領域と、副操作領域とからなり、サムネイル表示領域に、記憶メディア内の画像がサムネイル画像によって一覧表示される。ユーザは、このディスプレイ１４に表示されたプリント注文の受付画面の表示に従ってプリント注文の入力を行う。入力は、上記同様にプリント注文する画像のサムネイル画像にタッチして、プリント注文する画像を選択し、テンキーにタッチして注文枚数を入力する。
【００９８】
プリント注文する全ての画像の枚数入力が完了した後、ユーザは副操作領域に表示されたＯＫボタンをタッチし、注文を確定する。
【００９９】
プリント注文の設定が完了すると、プリント受付端末１０は、プリント注文を受けた画像の中に再プリント（再注文）の画像の有無を判定する（ステップＳ１８）。この判定は、管理サーバ１００から取得したユーザのプリント履歴に基づき行う。すなわち、プリント注文を受けた画像のファイル名と更新日時とが一致する画像をプリント履歴の中から検索して、再プリントの画像の有無を判定する。
【０１００】
この判定の結果、再プリントの画像がない場合は、図１３に示すフローチャートのステップＳ３０の処理に移行し、再プリントの画像がある場合は、図２１に示すフローチャートのステップＳ７０の処理に移行する。
【０１０１】
まず、再プリントの画像がない場合の処理について説明する。上記のように再プリントの画像がない場合は、図１３に示すフローチャートのステップＳ３０の処理に移行する。
【０１０２】
まず、プリン受付端末１０は、管理サーバ１００から取得したユーザのプリント履歴に基づいて最頻度画質補正項目を検出する（ステップＳ３０）。
【０１０３】
ここで、最頻度画質補正項目とは、そのユーザが過去に行った画質補正の項目の中で最も使用頻度の高い項目のことをいい、プリント履歴の統計結果に基づいて検出する。たとえば、図１４に示すように、そのユーザが過去６回画質補正を行っており、その内訳が、手ぶれ補正が５回、色調補正が１回、明るさ・コントラスト補正が０回の場合、手ぶれ補正が最頻度画質補正項目となる。
【０１０４】
次に、プリント受付端末１０は、プリント注文を受けた画像の中から補正対象画像を抽出する（ステップＳ３１）。この補正対象画像は、最頻度画質補正項目の画質補正を行った画像の撮影条件と近似する撮影条件の画像をプリント注文を受けた画像の中から検索して抽出する。より詳しくは、次のように行われる。
【０１０５】
まず、プリント履歴に基づき過去にプリントした画像の中から最頻度画質補正項目の画質補正を行った画像を抽出する。
【０１０６】
次に、抽出した画像の撮影条件の情報の中から既定の撮影条件の情報を取得する。ここで、この規定の撮影条件は、画質補正の項目ごとに設定されているものとし、たとえば、手ぶれ補正ならば、手ぶれ警告、フラッシュ、シャッタースピード（ただし、優先順位は、（１）手ぶれ警告、（２）フラッシュ、（３）シャッタースピード）、色調補正ならば、ホワイトバランスが設定される。
【０１０７】
次に、取得した規定の撮影条件の情報の中から最頻度の撮影条件を検出する。すなわち、たとえば、最頻度画質補正項目が手ぶれ補正の場合、規定の撮影条件は、手ぶれ警告（優先順位第１位）なので、手ぶれ警告の中で最頻度の撮影条件を検出する。また、最頻度画質補正項目が、色調補正の場合、規定の撮影条件は、ホワイトバランスなので、ホワイトバランスの中で最頻度の撮影条件を検出する。
【０１０８】
手ぶれ警告の場合、撮影条件が「手ぶれ警告アリ」又は「手ぶれ警告ナシ」の２つなので、この２つのうちで頻度が多い方が、最頻度の撮影条件として検出される。
【０１０９】
また、ホワイトバランスの場合は、撮影条件が「オート」、「マニュアル」の２つなので、この２つのうちで頻度が多い方が、最頻度の撮影条件として検出される。
【０１１０】
ここで、ユーザが、過去６回プリント対象の画像に画質補正を行ったと仮定し、その内訳が、手ぶれ補正が５回、色調補正が１回、明るさ・コントラスト補正が０回と仮定する。そして、その画質補正を行った画像の撮影条件の統計が図１５に示すようになり、その中で手ぶれ補正した画像の撮影条件の統計が図１６、色調補正した画像の撮影条件の統計が図１７に示すようになったと仮定する。
【０１１１】
この例の場合、最頻度画質補正項目は、手ぶれ補正となるので、規定の撮影条件は、手ぶれ警告となる。そして、図１６によれば、手ぶれ警告の項目は、手ぶれ警告アリが５回、手ぶれ警告ナシが０回なので、最頻度の撮影条件は、手ぶれ警告アリとなる。したがって、この例の場合、「手ぶれ警告アリ」という撮影条件を有する画像を補正対象画像として、プリント注文を受けた画像の中から抽出することとなる。
【０１１２】
なお、補正対象画像が抽出できない場合は、次に、規定の撮影条件をフラッシュ（優先順位第２位）として補正対象画像を抽出する。すなわち、フラッシュの項目の中で最頻度の撮影条件を抽出し、同じ撮影条件を有する画像をプリント注文を受けた画像の中から抽出する。
【０１１３】
また、既定の撮影条件をフラッシュとしても、補正対象画像が抽出できない場合は、規定の撮影条件をシャッタースピード（優先順位第３位）として、補正対象画像を抽出する。すなわち、シャッタースピードの項目の中で最頻度の撮影条件を抽出し、同じ撮影条件を有する画像をプリント注文を受けた画像の中から抽出する。
【０１１４】
このように、プリント受付端末１０は、最頻度画質補正項目の画質補正を行った画像の撮影条件と近似する撮影条件の画像をプリント注文を受けた画像の中から抽出する（ステップＳ３１）。そして、補正対象画像の有無を判定する（ステップＳ３２）。
【０１１５】
ここで、補正対象画像が抽出できなかった場合は、次に実施頻度の高い画質補正の項目の有無を判定し（ステップＳ４３）、次に実施頻度の高い画質補正の項目がある場合は、その項目を最頻度画質補正項目に設定して（ステップＳ４４）、補正対象画像の抽出を行う（ステップＳ３１）。
【０１１６】
図１６に示す例の場合、次に実施頻度の高い画質補正の項目は色調補正なので、色調補正を最頻度画質補正項目に設定して、補正対象項目の抽出を行う。
【０１１７】
なお、補正対象項目が抽出できず、かつ、次に実施頻度の高い画質補正項目もない場合は、図２０に示すフローチャートのステップＳ５０の処理に移行する。この場合の処理については、後に説明する。
【０１１８】
上記のように、補正対象画像が抽出されると、その抽出した補正対象画像の中から最補正対象画像が抽出される（ステップＳ３３）。最補正対象画像とは、最も画質補正を必要と推測される画像をいい、最頻度画質補正項目の画質補正を行った画像の撮影条件と最も近似する撮影条件の画像を補正対象画像の中から検索して抽出する。詳しくは、次のように抽出する。
【０１１９】
まず、プリント履歴に基づき過去にプリントした画像の中から最頻度画質補正項目の画質補正を行った画像を抽出する。
【０１２０】
次に、抽出した画像の撮影条件の情報の中から既定の撮影条件の情報を取得する。ここで、この規定の撮影条件は、画質補正の項目ごとに設定されているものとし、たとえば、手ぶれ補正ならば、（１）手ぶれ警告、（２）フラッシュ、（３）シャッタースピードの順で設定される。
【０１２１】
次に、取得した規定の撮影条件の情報の中から優先順位第１位の撮影条件について最頻度の撮影条件を検出する。たとえば、最頻度画質補正項目が手ぶれ補正の場合、規定の撮影条件は、手ぶれ警告、フラッシュ、シャッタースピードの順で優先順位が設定されているので、手ぶれ警告について、最頻度の撮影条件を検出する。そして、検出した最頻度の撮影条件を有する画像を補正対象画像の中から抽出する。
【０１２２】
この段階で一つの画像に絞り込めない場合は、次に、優先順位第２位の撮影条件について最頻度の撮影条件を検出する。たとえば、最頻度画質補正項目が手ぶれ補正の場合、優先順位第２位の撮影条件はフラッシュなので、フラッシュについて最頻度の撮影条件を検出する。そして、検出した最頻度の撮影条件を有する画像を第１回目の抽出作業で絞り込んだ補正対象画像の中から抽出する。
【０１２３】
この段階でも一つの画像に絞り込めない場合は、次に、優先順位第３位の撮影条件について最頻度の撮影条件を検出する。たとえば、最頻度画質補正項目が手ぶれ補正の場合、優先順位第３位の撮影条件はシャッタースピードなので、シャッタースピードについて最頻度の撮影条件を検出する。そして、検出した最頻度の撮影条件を有する画像を第２回目の抽出作業で絞り込んだ補正対象画像の中から抽出する。
【０１２４】
このように、比較すべき撮影条件の数を段階的に増やすことにより、過去に最頻度画質補正項目の画質補正を行った画像の撮影条件との一致度を高め、最終的に一つの画像に絞り込む。そして、その一つに絞り込んだ画像を最補正対象画像に設定する。
【０１２５】
最補正対象画像が抽出されると、プリント受付端末１０は、ディスプレイ１４の表示が最補正対象画像に対する画質補正の画面に切り替わる。図１８は、このときのディスプレイ１４の画面表示例を示している。同図に示すように、最補正対象画像に対する画質補正の画面は、図９に示した画質補正の基本画面と基本的に同じであり、サムネイル表示領域にプリント対象の画像が一覧表示される。ただし、最補正対象画像として抽出された画像に対して、その表示枠の色が他の画像の表示枠の色と区別して表示され、その画像に対して最頻度画質補正項目の画質補正を促すメッセージ（たとえば、「この画像は手ぶれ補正が必要と思われます。手ぶれ補正しますか？」）がサムネイル表示領域に表示される。
【０１２６】
ユーザは、このメッセージに応じて画質補正を施す場合は、メッセージとともに表示された「はい」のボタンをタッチし、画質補正を施さない場合は、メッセージとともに表示された「いいえ」のボタンをタッチする。
【０１２７】
プリント受付端末１０は、このユーザから入力に基づいて最補正対象画像に対する補正指示の有無を判定する（ステップＳ３４）。そして、補正指示ありと判定した場合は、最補正対象画像に対して、最頻度画質補正項目の画質補正のバリエーション画像を生成し（ステップＳ３５）、生成したバリエーション画像をディスプレイ１４に表示する。たとえば、最頻度画質補正項目が、手ぶれ補正の場合は、最補正対象画像に対して手ぶれ補正のバリエーション画像を生成し、生成したバリエーション画像をディスプレイ１４に表示する（図１０参照）。
【０１２８】
ユーザは、このように表示されたバリエーション画像（原画像を含む）の中から最も好ましい画像のサムネイル画像をタッチして選択する（ステップＳ３６）。プリント受付端末１０は、選択されたサムネイル画像に施されている補正量で原画像に最頻度画質補正項目の画質補正を施し、最補正対象画像に対する画質補正の処理を終了する。
【０１２９】
最補正対象画像に対する画質補正の処理が終了すると、プリント受付端末１０は、ディスプレイ１４の表示が切り替わり、補正対象画像に対する画質補正の画面になる。図１９は、このときのディスプレイ１４の画面表示例を示している。同図に示すように、サムネイル表示領域にプリント対象の画像が一覧表示される一方、その中で補正対象画像（最補正対象画像を除く）として抽出された画像の表示枠の色が他の画像の表示枠と区別して表示される。そして、その画像に対して最頻度画質補正項目の画質補正を促すメッセージ（たとえば、「この画像は手ぶれ補正が必要と思われます。手ぶれ補正しますか？」）がサムネイル表示領域に表示される。
【０１３０】
ユーザは、このメッセージに応じて画質補正を施す場合は、メッセージとともに表示された「はい」のボタンをタッチし、画質補正を施さない場合は、メッセージとともに表示された「いいえ」のボタンをタッチする。
【０１３１】
プリント受付端末１０は、このユーザから入力に基づいて補正対象画像に対する補正指示の有無を判定する（ステップＳ３７）。そして、補正指示ありと判定した場合は、補正対象画像に対して、最補正対象画像と同じ項目の画質補正（最頻度画質補正項目の画質補正）を同じ補正量で施す（ステップＳ３８）。
【０１３２】
補正対象画像に対する画質補正の処理が終了すると、プリント受付端末１０は、ディスプレイ１４の表示が切り替わり、図９に示す画質補正の基本画面になる。なお、上記ステップＳ３７で補正対象画像に対する画質補正の指示なしと判定した場合も同様にディスプレイ１４の表示が画質補正の基本画面に切り替わる。このとき、補正対象画像に対して画質補正を施している場合は、補正後の画像がサムネイル表示領域に表示される。
【０１３３】
ユーザは、この後、マニュアル操作による画質補正の有無を判断し、マニュアル補正を行う場合は、希望する項目の画質補正のボタンをタッチし、画質補正の処理を行う。プリント受付端末１０は、ユーザからのマニュアル操作による画質補正の指示の有無を判定し（ステップＳ３９）、指示アリと判断した場合は、ユーザの操作に応じた画質補正を実行する（ステップＳ４０）。なお、ここでの画質補正の処理は、上述した管理ファイルがない時に実行した画質補正の処理（ステップＳ２３、２４）と同じである。
【０１３４】
ユーザは、必要な画質補正の処理を全て完了したところで、副操作領域に表示されたＯＫボタンをタッチし、補正処理を終了する。なお、画質補正の処理を行わない場合は、そのまま副操作領域に表示されたＯＫボタンをタッチし、補正処理を終了する。
【０１３５】
プリント受付端末１０は、ＯＫボタンがタッチされたことを検知すると、プリント注文を受けた画像のプリントデータを生成し、プリント処理を実行する（ステップＳ４１）。すなわち、プリント注文を受けた画像の画像データ（画質補正された画像については、補正後の画像データ）を元にプリントデータ生成部４０でプリントデータを生成し、生成したプリントデータをプリント部５２に加えて印画紙にプリントさせる。
【０１３６】
生成された写真プリントは、プリント取出口２４に排出され、ユーザは、このプリント取出口２４に排出された写真プリントを受け取る。
【０１３７】
一方、プリント受付端末１０は、プリント処理終了後、ユーザの注文データをネットワークを通じて管理サーバ１００に送信する。管理サーバ１００は、このプリント受付端末１０から送信された注文データを元にプリント履歴の管理ファイルを生成する（ステップＳ４２）。
【０１３８】
このように、プリント注文したユーザのプリント履歴がある場合は、そのプリント履歴に基づいてユーザの画質補正の傾向を推測し、自動で画質補正の設定が行われる。これにより、ユーザが画質補正を行う手間が省け、簡単に好ましい画像のプリント注文を行うことができるようになる。
【０１３９】
なお、プリント履歴からユーザの画質補正の傾向を推測できない場合、あるいは、ユーザが過去に行った画質補正の傾向に合致する画像がない場合、すなわち、図１３に示すフローチャートのステップＳ４３において、次に実施頻度の高い画質補正の項目がないと判定した場合の処理は、次のように行われる。
【０１４０】
ステップＳ４３において、次に実施頻度の高い画質補正の項目がないと判定すると、図２０に示すフローチャートのステップＳ５０に進み、明るさ・コントラスト補正が最頻度画質補正項目に設定される（ステップＳ５０）。そして、補正対象画像をプリント対象の画像の中から抽出する（ステップＳ５１）。
【０１４１】
ここで、補正対象画像は、プリント対象とされた各画像について、画像の中を１００セグメント（１０×１０）で均等分割し、それぞれの中の平均ＥＶ値を算出し、その最大値ＥＶMAX と最小値ＥＶMIN とを求める。そして、求めた最大値ＥＶMAX と最小値ＥＶMIN と差（ΔＥＶ＝ＥＶMAX −ＥＶMIN ）を画面内輝度差として算出する。そして、その画面内輝度差ΔＥＶが、あらかじめ設定された規定値以上の画像を補正対象画像として抽出する。
【０１４２】
この抽出処理の結果から、補正対象画像の有無を判定し（ステップＳ５２）、ない場合は、自動補正の処理は行わず、ステップＳ５９の処理に進んで、マニュアル操作による画質補正の処理に移行する。この場合、プリント受付端末１０のディスプレイ１４の表示は、図９に示した画質補正の基本画面となる。
【０１４３】
一方、補正対象画像が抽出された場合は、抽出した補正対象画像の中から最補正対象画像を抽出する（ステップＳ５３）。この処理は、画面内輝度差ΔＥＶが最大の画像を補正対象画像の中から抽出することにより行われる。
【０１４４】
このようにして最補正対象画像が抽出されると、プリント受付端末１０は、ディスプレイ１４の表示が最補正対象画像に対する画質補正の画面に切り替わる（図１８参照）。上記のように、最補正対象画像の画質補正の画面では、サムネイル表示領域にプリント対象の画像が一覧表示される一方、最補正対象画像として抽出された画像の表示枠の色が他の画像の表示枠の色と区別して表示され、その画像に対して最頻度画質補正項目の画質補正を促すメッセージ（たとえば、この画像は明るさ・コントラスト補正が必要と思われます。手ぶれ補正しますか？」）がサムネイル表示領域に表示される。
【０１４５】
ユーザは、このメッセージに応じて画質補正を施す場合は、メッセージとともに表示された「はい」のボタンをタッチし、画質補正を施さない場合は、メッセージとともに表示された「いいえ」のボタンをタッチする。
【０１４６】
プリント受付端末１０は、このユーザから入力に基づいて最補正対象画像に対する補正指示の有無を判定する（ステップＳ５４）。そして、補正指示ありと判定した場合は、最補正対象画像に対して、最頻度画質補正項目、すなわち明るさ・コントラスト補正のバリエーション画像を生成し（ステップＳ５５）、生成したバリエーション画像をディスプレイ１４に表示する（図１２参照）。
【０１４７】
ユーザは、このように表示されたバリエーション画像（原画像を含む）の中から最も好ましい画像のサムネイル画像をタッチして選択する（ステップＳ５６）。プリント受付端末１０は、選択されたサムネイル画像に施されている補正量で原画像に最頻度画質補正項目の画質補正を施し、最補正対象画像に対する画質補正の処理を終了する。
【０１４８】
最補正対象画像に対する画質補正の処理が終了すると、プリント受付端末１０は、ディスプレイ１４の表示が切り替わり、補正対象画像に対する画質補正の画面になる（図１９参照）。上記のように補正対象画像に対する画質補正の画面では、サムネイル表示領域にプリント対象の画像が一覧表示され、その中で補正対象画像（最補正対象画像を除く）として抽出された画像の表示枠の色が他の画像の表示枠と区別して表示される。そして、その画像に対して明るさ・コントラスト補正の実施を促すメッセージ（たとえば、「この画像は明るさ・コントラスト補正が必要と思われます。明るさ・コントラスト補正しますか？」）がサムネイル表示領域に表示される。
【０１４９】
ユーザは、このメッセージに応じて画質補正を施す場合は、メッセージとともに表示された「はい」のボタンをタッチし、画質補正を施さない場合は、メッセージとともに表示された「いいえ」のボタンをタッチする。
【０１５０】
プリント受付端末１０は、このユーザから入力に基づいて補正対象画像に対する補正指示の有無を判定する（ステップＳ５７）。そして、補正指示ありと判定した場合は、補正対象画像に対して、最補正対象画像と補正量で明るさ・コントラスト補正を施す（ステップＳ５８）。
【０１５１】
補正対象画像に対する画質補正の処理が終了すると、プリント受付端末１０は、ディスプレイ１４の表示が切り替わり、図９に示す画質補正の基本画面になる。なお、上記ステップＳ３７で補正対象画像に対する画質補正の指示なしと判定した場合も同様にディスプレイ１４の表示が画質補正の基本画面に切り替わる。このとき、補正対象画像に対して画質補正を施している場合は、補正後の画像がサムネイル表示領域に表示される。
【０１５２】
ユーザは、この後、マニュアル操作による画質補正の有無を判断し、マニュアル補正を行う場合は、希望する項目の画質補正のボタンをタッチし、画質補正の処理を行う。プリント受付端末１０は、ユーザからのマニュアル操作による画質補正の指示の有無を判定し（ステップＳ５９）、指示アリと判断した場合は、ユーザの操作に応じた画質補正を実行する（ステップＳ６０）。
【０１５３】
ユーザは、必要な画質補正の処理を全て完了したところで、副操作領域に表示されたＯＫボタンをタッチし、補正処理を終了する。なお、画質補正の処理を行わない場合は、そのまま副操作領域に表示されたＯＫボタンをタッチし、補正処理を終了する。
【０１５４】
プリント受付端末１０は、ＯＫボタンがタッチされたことを検知すると、プリント注文を受けた画像のプリントデータを生成し、プリント処理を実行する（ステップＳ６１）。すなわち、プリント注文を受けた画像の画像データ（画質補正された画像については、補正後の画像データ）を元にプリントデータ生成部４０でプリントデータを生成し、生成したプリントデータをプリント部５２に加えて印画紙にプリントさせる。
【０１５５】
生成された写真プリントは、プリント取出口２４に排出され、ユーザは、このプリント取出口２４に排出された写真プリントを受け取る。
【０１５６】
一方、プリント受付端末１０は、プリント処理終了後、ユーザの注文データをネットワークを通じて管理サーバ１００に送信する。管理サーバ１００は、このプリント受付端末１０から送信された注文データを元にプリント履歴の管理ファイルを生成する（ステップＳ６２）。
【０１５７】
このように、プリント履歴からユーザの画質補正の傾向を推測できない場合、あるいは、ユーザが過去に行った画質補正の傾向に合致する画像がない場合は、明るさ・コントラスト補正が最頻度画質補正項目に設定されて、必要な画質補正が自動で行われる。これにより、ユーザが画質補正を行う手間が省け、簡単に好ましい画像のプリント注文を行うことができるようになる。
【０１５８】
次に、プリント注文した画像の中に再プリントの画像がある場合の処理について説明すする。すなわち、図５に示すフローチャートのステップＳ１８において、再プリントの画像ありと判定した場合の処理について説明する。
【０１５９】
図５に示すフローチャートのステップＳ１８において、再プリントの画像ありと判定すると、図２１に示すフローチャートのステップＳ７０の処理に移行する。
【０１６０】
まず、ディスプレイ１４の表示が、再プリント画像に対する画質補正の画面に切り替わる。図２２は、このときのディスプレイ１４の画面表示例を示している。同図に示すように、再プリント画像に対する画質補正の画面は、図９に示した画質補正の基本画面と基本的に同じであり、サムネイル表示領域にプリント対象の画像が一覧表示される。ただし、再プリント画像に対して、その表示枠の色が新規注文画像の表示枠の色と区別して表示される。そして、その再プリント画像に対して前回注文時と同じ画質補正を促すか問うメッセージ（「この画像は前回注文した画像です。同じ画質補正を行いますか？」）がサムネイル表示領域に表示される。
【０１６１】
ユーザは、このメッセージに応じて画質補正を施す場合は、メッセージとともに表示された「はい」のボタンをタッチし、画質補正を施さない場合は、メッセージとともに表示された「いいえ」のボタンをタッチする。
【０１６２】
プリント受付端末１０は、このユーザから入力に基づいて再プリント画像に対する画質補正の実行指示の有無を判定する（ステップＳ７０）。そして、補正指示なしと判定した場合は、ステップＳ７２の処理に移行し、補正指示ありと判定した場合は、再プリント画像に対して、プリント履歴に基づき前回と同じ画質補正を施す（ステップＳ７１）。
【０１６３】
この後、プリント受付端末１０は、新規注文画像の有無を判定し（ステップＳ７２）、新規注文の画像なしと判定すると、プリント注文を受けた画像の画像データを元にプリントデータ生成部４０でプリントデータを生成し、生成したプリントデータをプリント部５２に加えて印画紙にプリントさせる（ステップＳ７３）。
【０１６４】
生成された写真プリントは、プリント取出口２４に排出され、ユーザは、このプリント取出口２４に排出された写真プリントを受け取る。
【０１６５】
一方、プリント受付端末１０は、プリント処理終了後、ユーザの注文データをネットワークを通じて管理サーバ１００に送信する。管理サーバ１００は、このプリント受付端末１０から送信された注文データを元にプリント履歴の管理ファイルを生成する（ステップＳ７４）。
【０１６６】
このように、再プリントの画像に対しては、前回プリント時と同じ画質補正を自動で設定することにより、ユーザが画質補正を行う手間が省け、簡単に好ましい画像のプリント注文を行うことができるようになる。
【０１６７】
なお、上記ステップＳ７２で新規注文画像ありと判定した場合、プリント受付端末８２は、図２３に示すフローチャートのステップＳ８０の処理に移行する。
【０１６８】
まず、プリン受付端末１０は、管理サーバ１００から取得したユーザのプリント履歴に基づいて最頻度画質補正項目を検出し（ステップＳ８０）、新規にプリント注文を受けた画像の中から補正対象画像を抽出する（ステップＳ８１）。ここでの処理は、上述した図１３のフローチャートにおけるステップＳ３１の処理と基本的に同じである。すなわち、最頻度画質補正項目の画質補正を行った画像の撮影条件と近似する撮影条件の画像を新規にプリント注文を受けた画像の中から抽出する。
【０１６９】
このように新規にプリント注文を受けた画像の中から補正対象画像の抽出処理を行い、補正対象画像の有無を判定する（ステップＳ８２）。補正対象画像が抽出できなかった場合は、次に実施頻度の高い画質補正の項目の有無を判定し（ステップＳ９３）、次に実施頻度の高い画質補正の項目がある場合は、その項目を最頻度画質補正項目に設定して（ステップＳ９４）、補正対象画像の抽出を行う（ステップＳ８１）。
【０１７０】
補正対象画像が抽出されると、次に、抽出した補正対象画像の中から最補正対象画像が抽出される（ステップＳ８３）。すなわち、最頻度画質補正項目の画質補正を行った画像の撮影条件と最も近似する撮影条件の画像を補正対象画像の中から検索して抽出する。ここでの処理は、上述した図１３のフローチャートにおけるステップＳ３３の処理と基本的に同じである。
【０１７１】
このようにして、最補正対象画像が抽出されると、プリント受付端末１０は、ディスプレイ１４の表示が最補正対象画像に対する画質補正の画面に切り替わる（図１８参照）。上記のように、最補正対象画像に対する画質補正の画面は、図９に示した画質補正の基本画面と基本的に同じであり、サムネイル表示領域にプリント対象の画像が一覧表示される。ただし、最補正対象画像として抽出された画像に対して、その表示枠の色が他の画像の表示枠の色と区別して表示され、その画像に対して最頻度画質補正項目の画質補正を促すメッセージ（たとえば、「この画像は手ぶれ補正が必要と思われます。手ぶれ補正しますか？」）がサムネイル表示領域に表示される。
【０１７２】
ユーザは、このメッセージに応じて画質補正を施す場合は、メッセージとともに表示された「はい」のボタンをタッチし、画質補正を施さない場合は、メッセージとともに表示された「いいえ」のボタンをタッチする。
【０１７３】
プリント受付端末１０は、このユーザから入力に基づいて最補正対象画像に対する補正指示の有無を判定する（ステップＳ８４）。そして、補正指示ありと判定した場合は、最補正対象画像に対して、最頻度画質補正項目の画質補正のバリエーション画像を生成し（ステップＳ８５）、生成したバリエーション画像をディスプレイ１４に表示する。
【０１７４】
ユーザは、このように表示されたバリエーション画像（原画像を含む）の中から最も好ましい画像のサムネイル画像をタッチして選択する（ステップＳ８６）。プリント受付端末１０は、選択されたサムネイル画像に施されている補正量で原画像に最頻度画質補正項目の画質補正を施し、最補正対象画像に対する画質補正の処理を終了する。
【０１７５】
最補正対象画像に対する画質補正の処理が終了すると、プリント受付端末１０は、ディスプレイ１４の表示が切り替わり、補正対象画像に対する画質補正の画面になる（図１９参照）。補正対象画像に対する画質補正の画面は、サムネイル表示領域にプリント対象の画像が一覧表示される一方、その中で補正対象画像（最補正対象画像を除く）として抽出された画像の表示枠の色が他の画像の表示枠と区別して表示される。そして、その画像に対して最頻度画質補正項目の画質補正を促すメッセージ（たとえば、「この画像は手ぶれ補正が必要と思われます。手ぶれ補正しますか？」）がサムネイル表示領域に表示される。
【０１７６】
ユーザは、このメッセージに応じて画質補正を施す場合は、メッセージとともに表示された「はい」のボタンをタッチし、画質補正を施さない場合は、メッセージとともに表示された「いいえ」のボタンをタッチする。
【０１７７】
プリント受付端末１０は、このユーザから入力に基づいて補正対象画像に対する補正指示の有無を判定する（ステップＳ８７）。そして、補正指示ありと判定した場合は、補正対象画像に対して、最補正対象画像と同じ項目の画質補正（最頻度画質補正項目の画質補正）を同じ補正量で施す（ステップＳ８８）。
【０１７８】
補正対象画像に対する画質補正の処理が終了すると、プリント受付端末１０は、ディスプレイ１４の表示が切り替わり、図９に示す画質補正の基本画面になる。なお、上記ステップＳ８７で補正対象画像に対する画質補正の指示なしと判定した場合も同様にディスプレイ１４の表示が画質補正の基本画面に切り替わる。このとき、補正対象画像に対して画質補正を施している場合は、補正後の画像がサムネイル表示領域に表示される。
【０１７９】
ユーザは、この後、マニュアル操作による画質補正の有無を判断し、マニュアル補正を行う場合は、希望する項目の画質補正のボタンをタッチし、画質補正の処理を行う。プリント受付端末１０は、ユーザからのマニュアル操作による画質補正の指示の有無を判定し（ステップＳ８９）、指示アリと判断した場合は、ユーザの操作に応じた画質補正を実行する（ステップＳ９０）。なお、ここでの画質補正の処理は、上述した管理ファイルがない時に実行した画質補正の処理（ステップＳ２３、２４）と同じである。
【０１８０】
ユーザは、必要な画質補正の処理を全て完了したところで、副操作領域に表示されたＯＫボタンをタッチし、補正処理を終了する。なお、画質補正の処理を行わない場合は、そのまま副操作領域に表示されたＯＫボタンをタッチし、補正処理を終了する。
【０１８１】
プリント受付端末１０は、ＯＫボタンがタッチされたことを検知すると、プリント注文を受けた画像のプリントデータを生成し、プリント処理を実行する（ステップＳ９１）。すなわち、プリント注文を受けた画像の画像データ（画質補正された画像については、補正後の画像データ）を元にプリントデータ生成部４０でプリントデータを生成し、生成したプリントデータをプリント部５２に加えて印画紙にプリントさせる。
【０１８２】
生成された写真プリントは、プリント取出口２４に排出され、ユーザは、このプリント取出口２４に排出された写真プリントを受け取る。
【０１８３】
一方、プリント受付端末１０は、プリント処理終了後、ユーザの注文データをネットワークを通じて管理サーバ１００に送信する。管理サーバ１００は、このプリント受付端末１０から送信された注文データを元にプリント履歴の管理ファイルを生成する（ステップＳ９２）。
【０１８４】
このように、プリント注文したユーザのプリント履歴がある場合は、そのプリント履歴に基づいてユーザの画質補正の傾向を推測し、自動で新規注文を受けた画像の画質補正の設定が行われる。これにより、ユーザが画質補正を行う手間が省け、簡単に好ましい画像のプリント注文を行うことができるようになる。
【０１８５】
なお、プリント履歴からユーザの画質補正の傾向を推測できない場合、あるいは、ユーザが過去に行った画質補正の傾向に合致する画像がない場合、すなわち、図２３に示すフローチャートのステップＳ９３において、次に実施頻度の高い画質補正の項目がないと判定した場合の処理は、次のように行われる。
【０１８６】
ステップＳ４３において、次に実施頻度の高い画質補正の項目がないと判定すると、図２４に示すフローチャートのステップＳ１００に進み、明るさ・コントラスト補正が最頻度画質補正項目に設定される（ステップＳ１００）。そして、補正対象画像を新規にプリント注文を受けた画像の中から抽出する（ステップＳ１０１）。なお、ここでの処理は、上述した図２０のフローチャートにおけるステップＳ５１の処理と基本的に同じである。
【０１８７】
この抽出処理の結果から、補正対象画像の有無を判定し（ステップＳ１０２）、ない場合は、自動補正の処理は行わず、ステップＳ１０９の処理に進んで、マニュアル操作による画質補正の処理に移行する。この場合、プリント受付端末１０のディスプレイ１４の表示は、図９に示した画質補正の基本画面となる。
【０１８８】
一方、補正対象画像が抽出された場合は、抽出した補正対象画像の中から最補正対象画像を抽出する（ステップＳ１０３）。この処理は、この処理は、上述した図２０のフローチャートにおけるステップＳ５３の処理と基本的に同じである。すなわち、画面内輝度差ΔＥＶが最大の画像を補正対象画像の中から抽出することにより行われる。
【０１８９】
このようにして最補正対象画像が抽出されると、プリント受付端末１０は、ディスプレイ１４の表示が最補正対象画像に対する画質補正の画面に切り替わる（図１８参照）。上記のように、最補正対象画像の画質補正の画面では、サムネイル表示領域にプリント対象の画像が一覧表示される一方、最補正対象画像として抽出された画像の表示枠の色が他の画像の表示枠の色と区別して表示され、その画像に対して最頻度画質補正項目の画質補正を促すメッセージ（たとえば、「この画像は明るさ・コントラスト補正が必要と思われます。明るさ・コントラスト補正しますか？」）がサムネイル表示領域に表示される。
【０１９０】
ユーザは、このメッセージに応じて画質補正を施す場合は、メッセージとともに表示された「はい」のボタンをタッチし、画質補正を施さない場合は、メッセージとともに表示された「いいえ」のボタンをタッチする。
【０１９１】
プリント受付端末１０は、このユーザから入力に基づいて最補正対象画像に対する補正指示の有無を判定する（ステップＳ１０４）。そして、補正指示ありと判定した場合は、最補正対象画像に対して、最頻度画質補正項目、すなわち明るさ・コントラスト補正のバリエーション画像を生成し（ステップＳ１０５）、生成したバリエーション画像をディスプレイ１４に表示する（図１２参照）。
【０１９２】
ユーザは、このように表示されたバリエーション画像（原画像を含む）の中から最も好ましい画像のサムネイル画像をタッチして選択する（ステップＳ１０６）。プリント受付端末１０は、選択されたサムネイル画像に施されている補正量で原画像に最頻度画質補正項目の画質補正を施し、最補正対象画像に対する画質補正の処理を終了する。
【０１９３】
最補正対象画像に対する画質補正の処理が終了すると、プリント受付端末１０は、ディスプレイ１４の表示が切り替わり、補正対象画像に対する画質補正の画面に切り替わる（図１９参照）。上記のように補正対象画像に対する画質補正の画面では、サムネイル表示領域にプリント対象の画像が一覧表示され、その中で補正対象画像（最補正対象画像を除く）として抽出された画像の表示枠の色が他の画像の表示枠と区別して表示される。そして、その画像に対して明るさ・コントラスト補正の実施を促すメッセージ（たとえば、「この画像は明るさ・コントラスト補正が必要と思われます。明るさ・コントラスト補正しますか？」）がサムネイル表示領域に表示される。
【０１９４】
ユーザは、このメッセージに応じて画質補正を施す場合は、メッセージとともに表示された「はい」のボタンをタッチし、画質補正を施さない場合は、メッセージとともに表示された「いいえ」のボタンをタッチする。
【０１９５】
プリント受付端末１０は、このユーザから入力に基づいて補正対象画像に対する補正指示の有無を判定する（ステップＳ１０７）。そして、補正指示ありと判定した場合は、補正対象画像に対して、最補正対象画像と補正量で明るさ・コントラスト補正を施す（ステップＳ１０８）。
【０１９６】
補正対象画像に対する画質補正の処理が終了すると、プリント受付端末１０は、ディスプレイ１４の表示が切り替わり、図９に示す画質補正の基本画面に切り替わる。なお、上記ステップＳ３７で補正対象画像に対する画質補正の指示なしと判定した場合も同様にディスプレイ１４の表示が画質補正の基本画面に切り替わる。
【０１９７】
このとき、補正対象画像については画質補正を施している場合には、補正後の画像がサムネイル表示領域に表示される。ユーザは、この後、マニュアル操作による画質補正の有無を判断し、マニュアル補正を行う場合は、希望する項目の画質補正のボタンをタッチし、画質補正の処理を行う。プリント受付端末１０は、ユーザからのマニュアル操作による画質補正の指示の有無を判定し（ステップＳ１０９）、指示アリと判断した場合は、ユーザの操作に応じた画質補正を実行する（ステップＳ１１０）。
【０１９８】
ユーザは、必要な画質補正の処理を全て完了したところで、副操作領域に表示されたＯＫボタンをタッチし、補正処理を終了する。なお、画質補正の処理を行わない場合は、そのまま副操作領域に表示されたＯＫボタンをタッチし、補正処理を終了する。
【０１９９】
プリント受付端末１０は、ＯＫボタンがタッチされたことを検知すると、プリント注文を受けた画像のプリントデータを生成し、プリント処理を実行する（ステップＳ１１１）。すなわち、プリント注文を受けた画像の画像データ（画質補正された画像については、補正後の画像データ）を元にプリントデータ生成部４０でプリントデータを生成し、生成したプリントデータをプリント部５２に加えて印画紙にプリントさせる。
【０２００】
生成された写真プリントは、プリント取出口２４に排出され、ユーザは、このプリント取出口２４に排出された写真プリントを受け取る。
【０２０１】
一方、プリント受付端末１０は、プリント処理終了後、ユーザの注文データをネットワークを通じて管理サーバ１００に送信する。管理サーバ１００は、このプリント受付端末１０から送信された注文データを元にプリント履歴の管理ファイルを生成する（ステップＳ１１２）。
【０２０２】
このように、新規画像に対して、プリント履歴からユーザの画質補正の傾向を推測できない場合、あるいは、ユーザが過去に行った画質補正の傾向に合致する画像がない場合は、明るさ・コントラスト補正が最頻度画質補正項目に設定されて、必要な画質補正が自動で行われる。これにより、ユーザが画質補正を行う手間が省け、簡単に好ましい画像のプリント注文を行うことができるようになる。
【０２０３】
以上説明したように、本実施の形態のプリントシステム１によれば、ユーザが過去に行ったプリントの履歴を参照することにより、必要な画質補正の設定を自動で行うため、ユーザが面倒な画質補正の設定を行う必要がなく、簡単に好ましい画質のプリントを得ることができる。
【０２０４】
なお、本実施の形態では、プリント受付端末にプリンタ（プリント部）を一体的に組み込んだ例で説明したが、プリント受付端末とプリンタは別体で構成するようにしてもよい。すなわち、プリント受付端末は、プリントの受付処理のみを行うように構成し、プリント作業は別の装置で行うようにしてもよい。
【０２０５】
また、本実施の形態では、各プリント受付端末１０と管理サーバ１００とをネットワークを通じて接続しているが、プリント受付端末１０と管理サーバ１００との接続形態は、これに限定されるものではない。
【０２０６】
また、本実施の形態では、実行可能な画質補正の項目として、手ぶれ補正、色調補正、明るさ・コントラスト補正を挙げているが、上記は一例であり、これら以外の画質補正を行うことができるようにしてもよい。たとえば、シャープネス補正や彩度補正、色合い補正等を行うことができるようにしてもよい。
【０２０７】
また、本実施の形態で説明した最頻度画質補正項目の抽出方法は一例であり、他の方法を用いて最頻度画質補正項目の抽出を行うようにしてもよい。同様に補正対象画像、最補正対象画像の抽出方法も一例であり、他の抽出方法を使用して抽出するようにしてもよい。すなわち、顧客のプリント履歴から、その顧客の補正傾向（癖）を推測し、その補正が必要な画像を抽出する方法であれば、いかなる抽出方法を採用するようにしてもよい。
【０２０８】
また、プリント履歴の管理ファイルを管理サーバで一元管理するのではなく、各プリント受付端末が個別に管理するようにしてもよい。この場合、各プリント受付端末間を通信可能に接続し、定期的に情報交換を行って管理ファイルを更新するようにしてもよい。
【０２０９】
また、管理ファイルを管理サーバで管理するのではなく、ユーザの記憶メディアに格納して管理するようにしてもよい。この場合、ＩＤ及びパスワードによる認証処理は省略してもよい。また、管理サーバは設けなくてもよい。なお、管理サーバと記憶メディアの双方に管理ファイルが存在する場合は、いずれか一方の管理ファイルを優先して使用するようにしてもよいし、双方の管理ファイルを統合して使用するようにしてもよい。
【０２１０】
なお、本実施の形態のプリントシステム１では、ＲＡＷ画像のプリントにも対応している。以下にＲＡＷ画像のプリントを行う場合の処理について説明する。
【０２１１】
図２５は、ＲＡＷ画像のプリントを行う場合の処理の手順を示すフローチャートである。
【０２１２】
まず、ユーザは、画像データが記録されたメモリカード等の記憶メディアをメディア挿入口１６に挿入し（ステップＳ１２０）、プリント受付端末１０にプリントの注文処理を開始させる。
【０２１３】
注文処理が開始されると、ディスプレイ１４にＩＤとパスワードの入力画面が表示される（図６参照）。顧客は、このディスプレイ１４の表示に従ってＩＤとパスワードを入力する（ステップＳ１２１）。ＩＤとパスワードは、たとえば、数字又はアルファベット又はその組み合わせからなるものとし、ディスプレイ１４に表示されている数字又はアルファベットをタッチして入力する。
【０２１４】
ＩＤとパスワードが入力されると、プリント受付端末１０は、管理サーバ１００にアクセスし、入力されたＩＤに対応する管理ファイルが存在するか否か管理サーバ１００に問い合わせる。
【０２１５】
管理サーバ１００は、プリント受付端末１０から送信されたＩＤとパスワードの情報に基づき顧客が入力したＩＤに対応する管理ファイルを所定の記憶領域から検索し、管理ファイルの有無を判定する（ステップＳ１２２）。
【０２１６】
そして、管理ファイルなしと判定した場合は、図２６に示すフローチャートのステップＳ１４０の処理に移行する。
【０２１７】
まず、プリント受付端末１０は、メディア挿入口１６に装填された記憶メディアから記憶メディアに記録されている画像ファイルの読み出しを行う（ステップＳ１４０）。そして、その読み出した画像ファイルの中からＲＡＷ画像ファイルを検索し、ＲＡＷ画像ファイルの有無を判定する（ステップＳ１４１）。
【０２１８】
ここで、ＲＡＷ画像ファイルありと判定すると、プリント受付端末１０は、図２７に示すように、ディスプレイ１４に現像処理の実行を問い合わせるメッセージ（たとえば、「ＲＡＷデータがあります。ＲＡＷデータのままでは、プリント注文することができません。現像処理しますか？」）を表示する。
【０２１９】
ユーザは、このメッセージに応じて現像処理する場合は、メッセージとともに表示された「はい」のボタンをタッチし、現像処理しない場合は、メッセージとともに表示された「いいえ」のボタンをタッチする。プリント受付端末１０は、このユーザからの入力に基づいて現像処理の実行指示の有無を判定する（ステップＳ１４２）。
【０２２０】
ここで、現像処理の指示ありと判定すると、プリント受付端末１０は、ＲＡＷ画像データの現像処理を行い、そのサムネイル画像をディスプレイ１４に一覧表示する（ステップＳ１４３）。この場合において、ＲＡＷ画像のサムネイル画像には、ＲＡＷ画像であることを示すために、表示枠内に識別記号（たとえば「ＲＡＷ」）が付されて表示される。
【０２２１】
なお、ＲＡＷ画像ファイルにサムネイル画像の画像データが添付されている場合には、現像処理は行わず、サムネイル画像の画像データを利用して、ＲＡＷ画像のサムネイル表示を行うものとする。
【０２２２】
図２８は、ＲＡＷ画像の現像処理の画面の表示例を示している。同図に示すように、現像処理の画面は、サムネイル表示領域と主操作領域と副操作領域とからなり、サムネイル表示領域に、記憶メディア内のＲＡＷ画像のサムネイル画像が一覧表示される。また、主操作領域には、現像の実行を指示する現像ボタンが表示され、副操作領域には、処理の確定を指示するボタン（ＯＫボタン）や、前の処理画面に戻ることを指示するボタン（戻るボタン）、終了を指示するボタン（終了ボタン）等が表示される。
【０２２３】
ユーザは、ディスプレイ１４に表示された現像処理の画面表示に従ってＲＡＷ画像ごとに現像処理の指示を行う。すなわち、まず、現像対象とするＲＡＷ画像のサムネイル画像にタッチして、現像対象のＲＡＷ画像を選択する。サムネイル画像にタッチすると、そのタッチされたサムネイル画像の表示枠の色が変わり、選択した画像が他の画像と区別される。図２８に示す例では、画面左上に位置する画像（ファイル名：ＤＳＣＦ１００１）が選択された状態が示されている。また、現像済みのファイルについては、現像済みであることを示すために、表示枠内に識別記号（たとえば、「現像済」）が表示される（ＲＡＷ画像の識別記号に代えて表示される。）。
【０２２４】
このようにプリント注文する画像をタッチして選択したのち、主操作領域に表示された現像ボタンにタッチし、現像処理を指示する。プリント受付端末１０は、このユーザからの入力指示に基づき現像処理の実行指示の有無を判定し（ステップＳ１４４）、指示されたＲＡＷ画像に対して現像処理を実施する（ステップＳ１４５）。すなわち、選択されたサムネイル画像のＲＡＷ画像データを現像処理部３８に加えて所要の現像処理を行う。
【０２２５】
ユーザは、現像が必要なＲＡＷ画像に対して現像処理を行った後、副操作領域に表示されたＯＫボタンをタッチして、現像処理を完了させる。
【０２２６】
現像処理が完了すると、プリント受付端末１０は、ディスプレイ１４の表示が切り替わり、プリント注文の受付画面の表示になる。図２９は、プリント注文の受付画面の表示例を示している。同図に示すように、プリント注文の受付画面は、図８に示したプリント注文の受付画面と基本的に同じであり、記憶メディア内の画像ファイルのサムネイル画像がサムネイル表示領域に一覧表示される（ステップＳ１４６）。
【０２２７】
ただし、ＲＡＷ画像については、現像済みのものだけが表示され、未現像のものについては表示されない。また、ＲＡＷ画像については、ＲＡＷ画像であることを示すために、表示枠内に識別記号（たとえば、「現像済」）が付されて表示される。
【０２２８】
なお、上記ステップＳ１４１において、ＲＡＷ画像ファイルなしと判定した場合、及び、上記ステップＳ１４２において、現像処理の指示なしと判定した場合もディスプレイ１４の表示がプリント注文の受付画面に切り替わる。
【０２２９】
ユーザは、このディスプレイ１４に表示されたプリント注文の受付画面の表示に従ってプリント注文の入力を行う（ステップＳ１４７）。そして、プリント注文する全ての画像の枚数入力が完了した後、ユーザは副操作領域に表示されたＯＫボタンをタッチし、注文を確定する。
【０２３０】
プリント注文の設定が完了すると、ディスプレイ１４の表示がプリント注文の画面から画質補正の基本画面に切り替わり（図９参照）、ユーザは、必要に応じてマニュアル操作による画質補正を行う。
【０２３１】
プリント受付端末１０は、ユーザからの入力に応じてマニュアル操作による画質補正の指示の有無を判定し（ステップＳ１４８）、指示ありと判定すると、指示された項目の画質補正を指示された補正量で実施する（ステップＳ１４９）。
【０２３２】
この後、画質補正の処理が完了すると、プリント受付端末１０は、プリント注文を受けた画像のプリントデータを生成し、プリント処理を実行する（ステップＳ１５０）。生成された写真プリントは、プリント取出口２４に排出され、ユーザは、このプリント取出口２４に排出された写真プリントを受け取る。
【０２３３】
一方、プリント受付端末１０は、プリント処理終了後、ユーザの注文データ（プリント注文した画像のファイル名、Ｅｘｉｆ情報、画質補正の内容等のプリント履歴の管理ファイルの生成に必要なデータ）をネットワークを通じて管理サーバ１００に送信する。管理サーバ１００は、このプリント受付端末１０から送信された注文データを元にプリント履歴の管理ファイルを生成する（ステップＳ１５１）。なお、本例では新規のユーザなので、この段階でＩＤ及びパスワードの設定が行われる。
【０２３４】
以上説明したように、管理サーバ１００に管理ファイルのない新規ユーザの場合であって、プリント対象とする画像にＲＡＷ画像が含まれている場合は、必要な現像処理を行ったの後、必要に応じてユーザがマニュアルで画質補正を行い、プリントを行う。
【０２３５】
次に、管理サーバ１００に管理ファイルが存在する場合、すなわち、図２５に示すフローチャートのステップＳ１２２において、管理ファイルありと判定された場合の処理について説明する。  
【０２３６】
図２５に示すフローチャートのステップＳ１２２において、管理ファイルありと判定すると、入力されたパスワードに基づいて本人認証が行われる（ステップＳ１２３）。すなわち、入力されたパスワードが対応する管理ファイルに設定されているパスワードと一致するか否か判定し、本人認証を行う。
【０２３７】
ここで、パスワードが一致しない場合は、ステップＳ１２１に戻り、再度ＩＤとパスワードの入力を行う。
【０２３８】
一方、パスワードが一致し、本人と確認された場合、プリント受付端末１０は、管理サーバ１００から該当する管理ファイルを読み込む（ステップＳ１２４）。また、メディア挿入口１６に装填された記憶メディアから記憶メディアに記録されている画像ファイルの読み出しを行う（ステップＳ１２５）。そして、その読み出した画像ファイルの中からＲＡＷ画像の画像ファイルを検索し、ＲＡＷ画像ファイルの有無を判定する（ステップＳ１２６）。
【０２３９】
ここで、ＲＡＷ画像ファイルありと判定すると、プリント受付端末１０は、ディスプレイ１４に現像処理の実行を問い合わせるメッセージ（たとえば、「ＲＡＷデータがあります。ＲＡＷデータのままでは、プリント注文することができません。現像処理しますか？」）を表示する（図２７参照）。
【０２４０】
ユーザは、このメッセージに応じて現像処理する場合は、メッセージとともに表示された「はい」のボタンをタッチし、現像処理しない場合は、メッセージとともに表示された「いいえ」のボタンをタッチする。プリント受付端末１０は、このユーザからの入力に基づいて現像処理の実行指示の有無を判定する（ステップＳ１２７）。
【０２４１】
ここで、現像処理の指示ありと判定すると、プリント受付端末１０は、ＲＡＷ画像データの現像処理を行い、図２８に示すように、そのサムネイル画像をディスプレイ１４に一覧表示する（ステップＳ１２８）。ユーザは、このディスプレイ１４に表示された現像処理の画面表示に従ってＲＡＷ画像ごとに現像処理の指示を行う。プリント受付端末１０は、このユーザからの入力指示に基づき現像処理の実行指示の有無を判定し（ステップＳ１２９）、指示されたＲＡＷ画像に対して現像処理を実施する（ステップＳ１３０）。すなわち、選択されたサムネイル画像のＲＡＷ画像データを現像処理部３８に加えて所要の現像処理を行う。
【０２４２】
ユーザは、現像が必要なＲＡＷ画像に対して現像処理を行った後、副操作領域に表示されたＯＫボタンをタッチして、現像処理を完了させる。
【０２４３】
現像処理が完了すると、プリント受付端末１０は、ディスプレイ１４の表示がプリント注文の受付画面の表示になり、記憶メディア内の画像ファイルのサムネイル画像がサムネイル表示領域に一覧表示される（ステップＳ１３１）。この場合、上記同様にＲＡＷ画像については、現像済みのものだけが表示される。また、ＲＡＷ画像については、ＲＡＷ画像であることを示すために、表示枠内に識別記号（たとえば、「現像済」）が付されて表示される。
【０２４４】
ユーザは、このディスプレイ１４に表示されたプリント注文の受付画面の表示に従ってプリント注文の入力を行う（ステップＳ１３２）。そして、プリント注文する全ての画像の枚数入力が完了した後、ユーザは副操作領域に表示されたＯＫボタンをタッチし、注文を確定する。
【０２４５】
プリント注文の設定が完了すると、プリント受付端末１０は、プリント履歴に基づき、プリント注文を受けた画像の中に再プリント（再注文）の画像の有無を判定する（ステップＳ１３３）。
【０２４６】
この判定の結果、再プリントの画像がない場合は、図１３に示すフローチャートのステップＳ３０の処理に移行し、再プリントの画像がある場合は、図２１に示すフローチャートのステップＳ７０の処理に移行する。
【０２４７】
以上説明したように、本実施の形態のプリントシステム１では、ＲＡＷ画像の現像機能を備えているため、プリント対象とする画像にＲＡＷ画像が含まれている場合であっても、必要に応じて現像処理し、プリントすることができる。
【図面の簡単な説明】
【０２４８】
【図１】本発明に係るプリントシステムの一実施形態を示すシステム構成図
【図２】プリント受付端末の構成を示す正面図
【図３】プリント受付端末の電気的構成を示すブロック図
【図４】管理ファイルの一例を示す図
【図５】プリント注文時におけるプリント受付端末の処理動作の手順を示すフローチャート
【図６】ＩＤとパスワードの入力画面の一例を示す図
【図７】プリント注文時におけるプリント受付端末の処理動作の手順を示すフローチャート（図５の続き）
【図８】プリント注文の受付画面の表示例を示す図
【図９】画質補正の基本画面の表示例を示す図
【図１０】手ぶれ補正のバリエーション画像の表示例を示す図
【図１１】色調補正のバリエーション画像の表示例を示す図
【図１２】明るさ・コントラスト補正のバリエーション画像の表示例を示す図
【図１３】プリント注文時におけるプリント受付端末の処理動作の手順を示すフローチャート（図５の続き）
【図１４】画質補正の統計結果を示す図
【図１５】画質補正を行った画像の撮影条件の統計結果を示す図
【図１６】手ぶれ補正を行った画像の撮影条件の統計結果を示す図
【図１７】色調補正を行った画像の撮影条件の統計結果を示す図
【図１８】最補正対象画像に対する画質補正の画面の表示例を示す図
【図１９】補正対象画像に対する画質補正の画面の表示例を示す図
【図２０】プリント注文時におけるプリント受付端末の処理動作の手順を示すフローチャート（図１３の続き）
【図２１】プリント注文時におけるプリント受付端末の処理動作の手順を示すフローチャート（図５の続き）
【図２２】再プリント画像に対する画質補正の画面の表示例を示す図
【図２３】プリント注文時におけるプリント受付端末の処理動作の手順を示すフローチャート（図２１の続き）
【図２４】プリント注文時におけるプリント受付端末の処理動作の手順を示すフローチャート（図２３の続き）
【図２５】ＲＡＷ画像を含む画像のプリント注文時におけるプリント受付端末の処理動作の手順を示すフローチャート
【図２６】ＲＡＷ画像を含む画像のプリント注文時におけるプリント受付端末の処理動作の手順を示すフローチャート（図２５の続き）
【図２７】ＲＡＷ画像の現像処理の開始画面の表示例を示す図
【図２８】ＲＡＷ画像の現像処理の画面の表示例を示す図
【図２９】ＲＡＷ画像を含む画像のプリント注文の受付画面の表示例を示す図
【符号の説明】
【０２４９】
１…プリントシステム、１０…プリント受付端末、１００…管理サーバ、１２…装置本体、１４…ディスプレイ、１６…メディア挿入口、１８…コイン投入口、２０…返金レバー、２２…コイン返金口、２４…プリント取出口、３０…ＣＰＵ、３２…ＲＯＭ、３４…ＲＡＭ、３６…画像処理部、３８…現像処理部、４０…プリントデータ生成部、４２…カラーマネージメント用データベース、４４…メモリカードリーダ／ライタ、４６…ディスプレイドライバ、４８…タッチパネル、５０…通信部、５２…プリント部、５４…課金装置、１００…管理サーバ
【図１】
2006107291.tif 000003
【図２】
2006107291.tif 000004
【図３】
2006107291.tif 000005
【図４】
2006107291.tif 000006
【図５】
2006107291.tif 000007
【図６】
2006107291.tif 000008
【図７】
2006107291.tif 000009
【図８】
2006107291.tif 000010
【図９】
2006107291.tif 000011
【図１０】
2006107291.tif 000012
【図１１】
2006107291.tif 000013
【図１２】
2006107291.tif 000014
【図１３】
2006107291.tif 000015
【図１４】
2006107291.tif 000016
【図１５】
2006107291.tif 000017
【図１６】
2006107291.tif 000018
【図１７】
2006107291.tif 000019
【図１８】
2006107291.tif 000020
【図１９】
2006107291.tif 000021
【図２０】
2006107291.tif 000022
【図２１】
2006107291.tif 000023
【図２２】
2006107291.tif 000024
【図２３】
2006107291.tif 000025
【図２４】
2006107291.tif 000026
【図２５】
2006107291.tif 000027
【図２６】
2006107291.tif 000028
【図２７】
2006107291.tif 000029
【図２８】
2006107291.tif 000030
【図２９】
2006107291.tif 000031